(57)【要約】【課題】硬貨の補充が容易で、短時間で硬貨の補充を完了できる対面式硬貨処理装置を提供する。【解決手段】一対の外面のそれぞれに第１及び第２の硬貨投入口１１８Ｌ、１１８Ｒと第１及び第２の硬貨出金口１２２Ｌ、１２２Ｒとが配置され、補充用の硬貨を投入する硬貨補充口６０５が一対の外面の一方に配置される。硬貨補充口６０５に投入された補充用硬貨を第１及び第２の硬貨選別装置１４２Ｌ、１４２Ｒのそれぞれに供給する供給手段６００が設けられる。供給手段６００により供給された補充用硬貨の真偽及び金種の選別が第１及び第２の硬貨選別装置１４２Ｌ、１４２Ｒのそれぞれにより行われる。【選択図】図６
2012108612.tif 000002
【特許請求の範囲】
【請求項１】
対向する一対の外面（１１２Ａ、１１２Ｂ）のそれぞれに配置された第１及び第２の硬貨投入口（１１８Ｌ、１１８Ｒ）と、
前記第１及び第２の硬貨投入口のそれぞれに投入された硬貨の真偽及び金種を選別する第１及び第２の硬貨選別装置（１４２Ｌ、１４２Ｒ）と、
前記第１及び第２の硬貨選別装置により選別された硬貨を保留する金種別の硬貨保留装置（３１２）と、
前記一対の外面のそれぞれに配置された、前記硬貨保留装置に保留された前記硬貨を払い出す第１及び第２の硬貨出金口（１２２Ｌ、１２２Ｒ）と、
前記第１及び第２の硬貨選別装置のそれぞれで偽貨として選別された硬貨を前記第１及び第２の硬貨出金口のそれぞれに返却する第１及び第２のリジェクト通路（１４４Ｌ、１４４Ｒ）とを備えた対面式硬貨処理機において、
補充用の硬貨を投入する硬貨補充口（６０５）が前記一対の外面の一方に配置され、かつ、前記硬貨補充口に投入された前記補充用硬貨を前記第１及び第２の硬貨選別装置のそれぞれに供給する供給手段（６００）が設けられ、前記供給された補充用硬貨の真偽及び金種の選別が前記第１及び第２の硬貨選別装置のそれぞれにより行われることを特徴とする対面式硬貨処理装置。
【請求項２】
前記供給手段が、前記第１及び第２の硬貨選別装置のそれぞれに対応し、かつ、前記硬貨補充口に投入された前記補充用硬貨を所定位置から互いに異なる方向に搬送する第１及び第２の硬貨搬送手段（６０８Ｌ、６０８Ｒ）を含んで構成されることを特徴とする請求項１に記載の対面式硬貨処理装置。
【請求項３】
前記供給手段が前記硬貨補充口に投入された前記補充用硬貨を前記第１及び第２の硬貨搬送手段のそれぞれに分配する硬貨分配手段を有している請求項２に記載の対面式硬貨処理装置。
【請求項４】
前記硬貨分配手段が前記硬貨補充口を２分割する仕切り板（６３５）で構成されることを特徴とする請求項３に記載の対面式硬貨処理装置。
【請求項５】
前記第２硬貨選別装置から前記第１出金口へ向かう硬貨移送手段（７００）が設けられており、
前記補充用硬貨が前記第１硬貨選別装置で偽貨として選別された場合には、当該硬貨が前記第１リジェクト通路を介して前記第１出金口へ返却され、
前記補充用硬貨が前記第２硬貨選別装置で偽貨として選別された場合には、当該硬貨が前記硬貨移送手段を介して前記第１出金口へ返却されることを特徴とする請求項１に記載の対面式硬貨処理機。
【発明の詳細な説明】
【技術分野】
【０００１】
本発明は、硬貨処理装置に関し、詳しくは、対向する外面に硬貨投入口が配置され、受け入れた正貨を金種別に保留する対面式硬貨処理装置に関する。さらに詳しくは、対向する外面に硬貨投入口が配置され、受け入れた正貨を金種別に保留する硬貨処理装置において、一方の外面にのみ硬貨の補充口を設ける場合に好適に使用できる対面式硬貨処理装置に関する。
【背景技術】
【０００２】
対面式硬貨処理装置は、例えば、ガソリンスタンドのセルフ式給油システムに適用され、２つのレーン間に設置することにより両側からの共通使用を可能とするものである。この種の従来の硬貨処理装置としては、特許文献１に開示された対面式硬貨取扱装置（以下、従来技術１という）が知られている。
【０００３】
従来技術１では、各接客手段に硬貨入金部と硬貨出金部と、前記各硬貨入金部から夫々延びる専用硬貨搬送部と、各専用硬貨搬送部により搬送されてきた硬貨の真贋、金種、数量を識別する共通の硬貨識別計数部と、硬貨識別計数部により真正と容認された硬貨を金種別に振り分けて共通の硬貨金庫に送り込むと共に、偽貨として識別された硬貨をリジェクトする共通の硬貨振分け部と、硬貨振分け部によりリジェクトされた硬貨、及び、硬貨金庫から払い出された硬貨を受け取って各硬貨出金部に排出する払出し硬貨共通搬送部と、これらを制御する共通の制御装置とを備え、前記硬貨共通搬送部は、少なくとも２つのローラによりエンドレスに張設されると共に駆動部によって正逆双方向に切替え走行可能に構成され且つ両端部を前記各硬貨出金部に近接させた排出ベルトと、排出ベルトをシーソー式に上下揺動可能に支持すると共に排出ベルトの搬送面が何れか一方の硬貨出金部に向けて下向きに傾斜するように交互に各端部を降下させる傾動部と、を備えている。
【０００４】
この従来技術１においては、硬貨の識別計数部が対面する外面に対してそれぞれ設けられた硬貨入金部に対して共通であるため、一方の硬貨入金部に投入された硬貨を識別計数している間、他方の硬貨入金部に硬貨が投入されないよう、硬貨シャッタによって閉止する。換言すれば、一方の硬貨入金部が使用中である場合、他方の硬貨入金部は使用することが出来ない。すなわち、他方の硬貨入金部を使用しようとする顧客は、一方の硬貨入金部の使用が終了するまで待たねばならない問題がある。
【０００５】
上記の問題は、硬貨投入口、検銭機、振分け部、一時保留部、ホッパ、シュート及びベルトコンベアを対向する外面に対してそれぞれ設けることにより解決できる。このように従来技術１を対向する両面に対しそれぞれ配置した場合、投入硬貨の識別は各検銭機において出来るので、従来技術１のように他方の利用者が待たされることはない。しかし、硬貨選別装置及び硬貨通路を２セット設けるので、装置が大型化し、また、コスト高になる問題がある。
【０００６】
そこで、本願出願人は、平成２２年９月１５日付けで出願した特願２０１０−２０６５０９において、上記従来技術１の問題を解決した対面式硬貨処理装置を提案している。この特願２０１０−２０６５０９の対面式硬貨処理装置では、対向する外面のそれぞれに配置された硬貨投入口に対応して一対の硬貨選別装置を設け、一対の硬貨選別装置のそれぞれで硬貨の選別を行っている。
【０００７】
ところで、硬貨処理装置では払い出す硬貨が不足しないように、必要に応じて硬貨を補充しなければならない。この場合、一般に、係員が硬貨処理装置から金庫を取り出し、金庫の扉を鍵で開けて硬貨を補充し、扉を閉めて硬貨処理装置に再び装填する必要がある。このため、硬貨の補充に時間がかかり、係員に多大な労力を強いることとなる。また、硬貨処理装置の硬貨投入口を介して硬貨を補充する方法もあるが、硬貨を一つずつ投入しなければならず、この場合にも同様に、硬貨の補充に時間がかかり、係員への負担は大きくなってしまう。
【０００８】
そこで、従来より、硬貨の補充を容易にする技術が提案されており、例えば、特許文献２に開示された硬貨処理装置（以下、従来技術２という）がある。
従来技術２では、入出金口を有した筐体と、この筐体内、かつ前記入出金口から入金された硬貨及び前記入出金口に出金された硬貨を受入れる硬貨受入手段と、この硬貨受入手段に受入れた入金硬貨を取込み搬送する搬送手段と、この搬送手段により搬送された入金硬貨を検銭する検銭手段と、この検銭手段での検銭結果により硬貨を振分ける振分手段と、この振分手段により振分けられた硬貨を金種毎に収容する硬貨収容手段と、この硬貨収容手段から出金硬貨として取出された硬貨を前記検銭手段に向けて搬送する搬送手段と、前記検銭手段にて検銭された出金硬貨を前記硬貨受入手段に搬出する搬出手段と、前記筐体に形成された小量硬貨補充口を有し直接筐体内に硬貨を補充するための小量硬貨補充手段と、を具備している。
【０００９】
対面式硬貨処理装置の場合、対向する外面の双方に硬貨補充口を設けると、係員は双方の硬貨補充口から硬貨を補充しなければならず手間と時間を要するという問題がある。
【００１０】
したがって、対向する外面の一方にのみ硬貨補充口を設けるのが好ましいが、硬貨補充口に投入された硬貨を１つの硬貨選別装置で選別することになる。この場合、硬貨選別装置の処理能力には限界があるので、硬貨選別装置の処理能力がボトルネックとなって選別に要する時間が増加するという問題がある。
【先行技術文献】
【特許文献】
【００１１】
【特許文献１】特許第４３２３８５０号（図７〜図９、段落番号００２４〜００２８）
【特許文献２】特開平７−２６２４３３号（図３、図４、段落番号００２６、００２７、００４３〜００４５）
【発明の概要】
【発明が解決しようとする課題】
【００１２】
本発明は、上述した従来技術の問題を考慮してなされたものであり、その目的とするところは、硬貨の補充が容易で、かつ、補充に必要な時間を短縮できる対面式硬貨処理装置を提供することである。
本発明の他の目的は、対向する外面の一方から硬貨を補充でき、かつ、短時間で補充が完了できる対面式硬貨処理装置を提供することである。
ここに明記しない本発明の他の目的は、以下の説明及び添付図面から明らかである。
【課題を解決するための手段】
【００１３】
これらの目的を達成するため、本発明は以下のように構成されている。
（１）本発明の対面式硬貨処理装置は、対向する一対の外面のそれぞれに配置された第１および第２の硬貨投入口と、前記第１および第２の硬貨投入口のそれぞれに投入された硬貨の真偽および金種を選別する第１および第２の硬貨選別装置と、前記第１および第２の硬貨選別装置により選別された硬貨を保留する金種別の硬貨保留装置と、前記一対の外面のそれぞれに配置された、前記硬貨保留装置に保留された前記硬貨を払い出す第１および第２の硬貨出金口と、前記第１および第２の硬貨選別装置のそれぞれで偽貨として選別された硬貨を前記第１および第２の硬貨出金口のそれぞれに返却する第１および第２のリジェクト通路とを備えた対面式硬貨処理機において、
補充用の硬貨を投入する硬貨補充口が前記一対の外面の一方に配置され、かつ、前記硬貨補充口に投入された前記補充用硬貨を前記第１および第２の硬貨選別装置のそれぞれに供給する供給手段が設けられ、前記供給された補充用硬貨の真偽および金種の選別が前記第１および第２の硬貨選別装置のそれぞれにより行われることを特徴とする対面式硬貨処理装置である。
【００１４】
本発明の対面式硬貨処理装置では、前記一対の外面の一方に配置された前記硬貨補充口に投入された補充用硬貨が、前記供給手段により前記第１及び第２の硬貨選別装置のそれぞれに供給されて、真偽及び金種の選別が行われる。換言すれば、補充用硬貨の選別が前記第１及び第２の硬貨選別装置により並列で行われる。そのため、補充用硬貨の選別が効率良く実施され、補充に費やされる時間が短縮される。しかも、対向する外面の一方から前記補充用硬貨を投入すればよいので、容易に硬貨を補充できる。換言すれば、対向する外面の一方から容易に硬貨を補充でき、しかも、短時間で完了できる。
【００１５】
本発明の対面式硬貨処理装置の好ましい例では、前記供給手段が、前記第１および第２の硬貨選別装置のそれぞれに対応し、かつ、前記硬貨補充口に投入された前記補充用硬貨を所定位置から互いに異なる方向に搬送する第１および第２の硬貨搬送手段を含んで構成される。この場合、前記補充用硬貨が前記第１および第２の硬貨搬送手段を介して適宜の方向に搬送されることになるので、前記第１および第２の硬貨選別装置の位置を比較的自由に配置することができ、例えば、当該対面式硬貨処理装置内の離れた位置に前記第１および第２の硬貨選別装置を配置でき、レイアウトの自由度が高まるという利点がある。
【００１６】
本発明の対面式硬貨処理装置のさらに他の好ましい例では、前記供給手段が、前記硬貨補充口に投入された前記補充用硬貨を前記第１および第２の硬貨搬送手段のそれぞれに分配する硬貨分配手段を有している。この場合、前記第１および第２の硬貨搬送手段のそれぞれに前記補充用硬貨が適宜の数量に分けて提供されるので、補充用硬貨を選別する効率がより一層高められる利点がある。
【００１７】
本発明の対面式硬貨処理装置の他の好ましい例では、前記硬貨分配手段が前記硬貨補充口を２分割する仕切り板（６３５）で構成される。この場合、前記補充用硬貨を前記硬貨補充口に投入するだけで前記仕切り板により前記補充用硬貨が２分配されるので、前記硬貨分配手段を比較的簡単な構造で実現でき、コストを低減できる利点がある。
【００１８】
本発明の対面式硬貨処理装置のさらに他の好ましい例では、前記第２硬貨選別装置から前記第１出金口へ向かう硬貨移送手段が設けられており、前記補充用硬貨が前記第１硬貨選別装置で偽貨として選別された場合には、当該硬貨が前記第１リジェクト通路を介して前記第１出金口へ返却され、前記補充用硬貨が前記第２硬貨選別装置で偽貨として選別された場合には、当該硬貨が前記硬貨移送手段を介して前記第１出金口へ返却される。この場合、偽貨として選別された前記補充用硬貨の全てが前記第１出金口へ返却されるので、係員が返却された偽貨を反対側の前記第２出金口へ取りに行く手間がかからず、硬貨補充作業の全てを前記一対の外面の一方の側で実施できるので、作業性が高まり、より一層容易に硬貨を補充でき、作業時間もさらに短縮できる利点がある。
【発明の効果】
【００１９】
本発明の対面式硬貨処理装置では、（ａ）硬貨の補充が容易で、かつ、補充に必要な時間を短縮でき、（ｂ）対向する外面の一方から硬貨を補充でき、かつ、短時間で補充が完了できる、といった効果が得られる。
【図面の簡単な説明】
【００２０】
【図１】図１は、本発明の一実施例の対面式硬貨処理装置が設置されるセルフ式ガソリンスタンドを示す一部平面図である。
【図２】図２は、本発明の一実施例の対面式硬貨処理装置が内蔵される精算機を示す正面図である。
【図３】図３は、本発明の一実施例の対面式硬貨処理装置の内部を示す正面図である。
【図４】図４は、本発明の一実施例の対面式硬貨処理装置の内部を示す、硬貨補充装置を除いた状態の斜視図である。
【図５】図５は、本発明の一実施例の対面式硬貨処理装置の概略構成を示す、硬貨補充装置を除いた状態の模式図である。
【図６】図６は、本発明の一実施例の対面式硬貨処理装置の概略構成を示す、共通部分を除いた状態の模式図である。
【図７】図７は、本発明の一実施例の硬貨処理装置に用いられる揚送装置を示す、（Ａ）は正面図、（Ｂ）はＢ−Ｂ線断面図、（Ｃ）はＣ−Ｃ線断面図である。
【図８】図８は、本発明の一実施例の硬貨処理装置に用いられる左硬貨選別装置を示す正面図である。
【図９】図９は、本発明の一実施例の硬貨処理装置に用いられる左硬貨選別装置を示す概要図である。
【図１０】図１０は、本発明の一実施例の硬貨処理装置に用いられる硬貨選別装置の硬貨通路を説明するための説明図である。
【図１１】図１１は、本発明の一実施例の硬貨処理装置に用いられる右硬貨選別装置を示す概要図である。
【図１２】図１２は、本発明の一実施例の硬貨処理装置に用いられる左側の第１振分装置の作用を説明するための図である。
【図１３】図１３は、本発明の一実施例の硬貨処理装置に用いられる左硬貨選別装置の硬貨通路を示す概要図である。
【図１４】図１４は、本発明の一実施例の硬貨処理装置に用いられる左硬貨通路装置を示す正面図である。
【図１５】図１５は、本発明の一実施例の硬貨処理装置に用いられる左硬貨通路装置を示す平面図である。
【図１６】図１６は、本発明の一実施例の硬貨処理装置に用いられる左硬貨転動通路を示す斜視図である。
【図１７】図１７は、本発明の一実施例の硬貨処理装置に用いられる左硬貨転動通路を示す分解斜視図である。
【図１８】図１８は、本発明の一実施例の硬貨処理装置に用いられる左硬貨転動通路を示す底面図である。
【図１９】図１９は、本発明の一実施例の硬貨処理装置に用いられる硬貨保留払出装置を示す平面図である。
【図２０】図２０は、本発明の一実施例の硬貨処理装置に用いられる硬貨保留払出装置たる硬貨ホッパを示す概略斜視図である。
【図２１】図２１は、本発明の一実施例の硬貨処理装置に用いられるオーバーフロー金庫を示す斜視図である。
【図２２】図２２は、本発明の一実施例の硬貨処理装置の硬貨の共通シュートを示す分解斜視図である。
【図２３】図２３は、本発明の一実施例の硬貨処理装置に用いられる振分装置を示す概要図である。
【図２４】図２４は、本発明の一実施例の硬貨処理装置に用いられる硬貨補充装置を示す斜視図である。
【図２５】図２５は、本発明の一実施例の硬貨処理装置に用いられる硬貨補充装置を示す、（Ａ）は側面図、（Ｂ）はＤ−Ｄ線断面図、（Ｃ）はＥ−Ｅ線断面図である。
【図２６】図２６は、本発明の一実施例の硬貨処理装置に用いられる硬貨補充装置を示す、（Ａ）は側面図、（Ｂ）はＦ−Ｆ線断面図、（Ｃ）はＧ−Ｇ線断面図である。
【図２７】図２７は、本発明の一実施例の硬貨処理装置の内部を示す、硬貨筐体の天板を取り除いた状態の背面図である。
【図２８】図２８は、本発明の一実施例の硬貨処理装置の内部を示す、硬貨筐体の天板を取り除いた状態の平面図である。
【発明を実施するための形態】
【００２１】
以下、本発明の実施の形態を添付図面に基づいて説明する。
【実施例】
【００２２】
本実施例は、図１に示すように、本発明に係る対面式硬貨処理装置１００を、セルフ式ガソリンスタンド１０２において使用される自動精算機１０４に用いた例である。
セルフ式ガソリンスタンド１０２の楕円形の島１０６には給油機１０８及び自動精算機１０４が隣接状態に設置される。
本自動精算機１０４は、日本円仕様であるため、対面式硬貨処理装置１００の処理対象硬貨は、１円、５円、１０円、５０円、１００円及び５００円の６金種である。しかし、処理対象硬貨は取捨選択できる。例えば、１円及び５円硬貨を除外することができる。また、処理対象硬貨は、ユーロ、米ドル、中国元等世界中の硬貨を対象にすることができる。
【００２３】
これら給油機１０８及び自動精算機１０４は、島１０６の両側において操作できるように構成されている。すなわち、図２に示すように、自動精算機１０４における箱形の筐体１１２の対向する第１壁面１１２Ａ、第２壁面１１２Ｂにはそれぞれ硬貨投入口等が配置されている。
第１壁面１１２Ａ及び第２壁面１１２Ｂとも同一構成であるので、左側の第１壁面１１２Ａを例に図２を参照して説明する。
第１壁面１１２Ａにおいて、左紙幣投入口１１４Ｌ及び左紙幣返却口１１６Ｌの組が上下関係に配置され、左硬貨投入口１１８Ｌ、左硬貨出金口１２２Ｌ、クレジットカード・電子マネー等のリーダーライタ１２４Ｌが配置されている。
紙幣投入口１１４Ｌ及び紙幣返却口１１６Ｌは、自動精算機１０４に内蔵されたリサイクル式の紙幣処理機１２６から突出し、自動精算機１０４の第１壁面（外面）１１２Ａ、第２壁面（外面）１１２Ｂの外方に突出している。
硬貨投入口１１８Ｌ及び硬貨出金口１２２Ｌは、自動精算機１０４に内蔵された対面式の硬貨処理装置（対面式硬貨処理装置）１２０から突出し、自動精算機１０４の第１壁面１１２Ａ、第２壁面１１２Ｂの外方に突出している。
【００２４】
（硬貨処理装置）
次に、硬貨処理装置１２０について、図３〜図２８を参照して説明する。
硬貨処理装置１２０は、箱形の筐体１１２内に配置された箱形の硬貨筐体１２３を有している。硬貨筐体１２３の下端１２３Ｕは地上から１メートル以上になるように設置される。
図３及び図４に示すように、硬貨筐体１２３内には、右側硬貨釣銭機１２８Ｒ及び左側硬貨釣銭機１２８Ｌが内蔵されている。右側硬貨釣銭機１２８Ｒ及び左側硬貨釣銭機１２８Ｌは、右側硬貨釣銭機１２８Ｒ及び左側硬貨釣銭機１２８Ｌにそれぞれ格別に設けられた左個別部分１３２Ｌ及び右個別部分１３２Ｒ並びに右側硬貨釣銭機１２８Ｒ及び左側硬貨釣銭機１２８Ｌに共通の共通部分１３４が内蔵されている。
さらに、硬貨筐体１２３内には、硬貨処理装置１２０に釣銭用硬貨を補充する際に使用される硬貨補充装置６０１が内蔵されている。
説明の便宜上、第１壁面１１２Ａ側を左側硬貨釣銭機１２８Ｌ、第２壁面１１２Ｂ側を右側硬貨釣銭機１２８Ｒとして説明する。
右側硬貨釣銭機１２８Ｒと左側硬貨釣銭機１２８Ｌとは、個別に設けられている左個別部分１３２Ｌ、右個別部分１３２Ｒ及び共通に用いられる共通部分１３４とにより構成されている。
【００２５】
（硬貨釣銭機の個別部分）
まず、右個別部分１３２Ｒ及び左個別部分１３２Ｌを説明する。
なお、右個別部分１３２Ｒ、及び左個別部分１３２Ｌの構成は、左右対称に配置されること以外大凡同一であるので、左個別部分１３２Ｌを代表して説明し、右個別部分１３２Ｒは同一数字に付した「Ｌ」を「Ｒ」に変更して表示し、説明を省略する。
【００２６】
左個別部分１３２Ｌは、大まかには左硬貨投入口１１８Ｌ、左揚送装置１３８Ｌ、左硬貨選別装置１４２Ｌ、左リジェクト通路１４４Ｌ、左硬貨通路装置１４６Ｌ、及び左硬貨出金口１２２Ｌを有する。
【００２７】
（硬貨投入口）
まず図４を参照して左硬貨投入口１１８Ｌを説明する。
本実施例の左硬貨投入口１１８Ｌは、硬貨を一枚ずつ受け入れる機能を有する。左硬貨投入口１１８Ｌは、大凡大人の男性の平均的腰部の高さ位置に配置され、縦長スリット形である。左硬貨投入口１１８Ｌは、その高さ及び幅が最大直径である５００円硬貨の直径及び厚みよりも僅かに大きく形成されている。
【００２８】
（揚送装置）
次に左揚送装置１３８Ｌが図７を参照して説明される。
左揚送装置１３８Ｌは、左硬貨投入口１１８Ｌに投入された硬貨Ｃを上方の左硬貨選別装置１４２Ｌの左受入口１５２Ｌへ投入するよう一枚ずつ区分けして持ち上げる機能を有している。したがって、左硬貨投入口１１８Ｌが左受入口１５２Ｌよりも上方に配置される場合、左揚送装置１３８Ｌを設ける必要はない。
本実施例において左揚送装置１３８Ｌは、左螺旋装置１５４Ｌ、一枚分離装置１５６Ｌ及び左投入シュート１５８Ｌを含んでいる。
【００２９】
図７に示すように、左螺旋装置１５４Ｌは、左硬貨センサ１６０Ｌ、円筒状の左ガイド体１６２Ｌ、円柱状の左螺旋体１６４Ｌ及び左螺旋体１６４Ｌを回転させるための左揚送駆動モータ１６６Ｌを含んでいる。
左硬貨センサ１６０Ｌは、左硬貨投入口１１８Ｌに投入された硬貨Ｃを検知する機能を有する。左硬貨センサ１６０Ｌは、例えば磁気センサによって構成され、硬貨Ｃを検出した場合、左硬貨信号ＣＳＬを後述の制御装置１７４に出力する。
左ガイド体１６２Ｌは、透明の樹脂にて成型することが好ましい。内部を上昇される硬貨Ｃの姿勢を観察することにより異常を早期に発見できるからである。
左螺旋体１６４Ｌは、円柱状の左芯体１６８Ｌの外周面に螺旋状の左螺旋突条１７２Ｌが一体的に形成されて構成されている。左螺旋体１６４Ｌは、左ガイド体１６２Ｌ内に挿入され、左螺旋突条１７２Ｌの外周が左ガイド体１６２Ｌの内面に密に接した状態で左ガイド体１６２Ｌ内において同一軸線回りに回転できるように配置される。
図７（Ｂ）に示すように、硬貨Ｃが回転されず、かつ上方へ移動可能なように硬貨Ｃを保持する左案内溝１７０Ｌが左ガイド体１６２Ｌと一体に形成されている。左案内溝１７０Ｌは断面矩形であり、その先端部は、平面視左螺旋突条１７２Ｌと重ね逢わされる。
したがって、左案内溝１７０Ｌに保持される硬貨Ｃは、左案内溝１７０Ｌによって両側面及び周面を案内されつつ、下側の周面を左螺旋突条１７２Ｌによって押し上げられることができる。
【００３０】
左揚送駆動モータ１６６Ｌは、制御装置１７４によって選択的に駆動又は停止され、左芯体１６８Ｌ、したがって、左螺旋体１６４Ｌを所定方向に回転し、左螺旋突条１７２Ｌによって硬貨Ｃを上方へ移動させる。
すなわち、左硬貨投入口１１８Ｌに投入され、一枚分離装置１５６Ｌを通過した硬貨Ｃは、左螺旋突状１７２Ｌ上に載る。
左螺旋突状１７２Ｌ上に載った硬貨Ｃは、左案内溝１７０Ｌに規制されるため、左螺旋体１６４Ｌに対し横方向に移動できず、上下方向のみ移動可能である。
このため、左螺旋突状１７２Ｌが回転した場合、その傾斜角によって硬貨Ｃは左螺旋突状１７２Ｌによって押し上げられる。
制御装置１７４は左硬貨信号ＣＳＬを受信した場合、逆転ローラ駆動モータ１８４Ｌ及び左揚送駆動モータ１６６Ｌを回転駆動する。
逆転ローラ駆動モータ１８４Ｌ及び左揚送駆動モータ１６６Ｌは、左螺旋装置１５４Ｌ内の硬貨Ｃが全て無くなった場合、制御装置１７４によって停止される。
【００３１】
左螺旋突状１７２Ｌの間隔は、最大直径の５００円硬貨が一枚収まる間隔より僅かに大きく設定され、硬貨Ｃは一枚ずつ左投入シュート１５８Ｌ側へ揚送される。
なお、左芯体１６８Ｌを所定長さに設定し、軸線方向に所定数接続して一体回転可能にすることにより、左螺旋体１６４Ｌの長さを段階的に設定することができる。
換言すれば、左芯体１６８Ｌの連続数を任意に設定することにより、任意の揚送量を得ることができる。
【００３２】
次に一枚分離装置１５６Ｌが図７（Ｃ）を参照して説明される。
一枚分離装置１５６Ｌは、左硬貨投入口１１８Ｌに連続的に投入された硬貨Ｃが団子状に左螺旋装置１５４Ｌの入口に到達することによる、硬貨ジャムを防止する機能を有する。
詳述すれば、後述の左投入通路１８０Ｌにおいて、硬貨Ｃが周面を接するように近接せずに転動させる機能を有する。左螺旋突条１７２Ｌによって１つずつ硬貨Ｃを揚送するためである。
【００３３】
一枚分離装置１５６Ｌは、例えば、図７（Ｃ）に示すように左第１固定壁１７６Ｌ及び左第２固定壁１７８Ｌにより構成した前下がりの直状左投入通路１８０Ｌ、左逆転ローラ１８２Ｌ及び左逆転ローラ駆動モータ１８４Ｌにより構成される。
左投入通路１８０Ｌは、左硬貨投入口１１８Ｌから左螺旋装置１５４Ｌに向かって前下がりに傾斜する断面縦長スリット状の通路であり、左投入口１１８Ｌに投入された硬貨Ｃが左投入通路１８０Ｌの下面を構成する左ガイドレール１８６Ｌ上を立った状態で転動可能である。
【００３４】
左逆転ローラ１８２Ｌは、左大直径部１８８Ｌと左小直径部１９２Ｌとを有し、左大直径部１８８Ｌは左第２固定壁１７８Ｌに形成した左開口部１８１Ｌから左投入通路１８０Ｌに進入可能であり、進入した際、左第１固定壁１７６Ｌと左大直径部１８８Ｌとの間隔は最薄の硬貨Ｃの厚みよりも小さい。換言すれば、左大直径部１８８Ｌが左投入通路１８０Ｌに位置する場合、硬貨Ｃは左螺旋装置１５４Ｌ側へ通過することができない。
左逆転ローラ１８２Ｌは左逆転ローラ駆動モータ１８４Ｌによって左大直径部１８８Ｌが硬貨Ｃの転動方向の下流側から上流側へ向かって回転する。
換言すれば、左大直径部１８８Ｌが左螺旋装置１５４Ｌ側から左硬貨投入口１１８Ｌ側へ移動する。
よって、左硬貨通路１８０Ｌにおいて、左大直径部１８８Ｌよりも左硬貨投入口１１８Ｌ側に位置する硬貨Ｃは、左硬貨投入口１１８Ｌ側へ押し戻され、左螺旋体１６４Ｌ側へ転動することができない。
【００３５】
また、左逆転ローラ１８２Ｌは左螺旋突条１７２Ｌの移動と連動して回転され、前位の硬貨Ｃが所定位置まで左螺旋突条１７２Ｌによって押し上げられた後、後位の硬貨Ｃが左螺旋突条１７２Ｌに達するよう連動して回転される。
換言すれば、左投入通路１８０Ｌを転動して来た最大直径硬貨Ｃが、左螺旋突状１７２Ｌの周面に当接しない位相において、左螺旋装置１５４Ｌに到達するよう、左螺旋体１６４Ｌと左逆転ローラ１８２Ｌの左大直径部１８８Ｌとの回転位相並びに左逆転ローラ１８２Ｌと左螺旋装置１６４Ｌとの距離が設定される。
硬貨Ｃが左螺旋突状１７２Ｌと左ガイド体１６２Ｌとの間に噛み込まれることによる揚送不良、及び、複数の硬貨Ｃが左案内溝１７０Ｌに位置することによる硬貨ジャムを防止するためである。
さらに換言すれば、左大直径部１８８Ｌが左投入通路１８０Ｌに進入した場合、硬貨Ｃは左螺旋突条１７２Ｌ側へ向かって転動できず、いわば待機状態になる。
左小径部１９２Ｌが左投入通路１８０Ｌに相対した場合、硬貨Ｃは左投入通路１８０Ｌを転動し、左螺旋突条１７２Ｌへ向かって再び転動を開始する。
左逆転ローラ駆動モータ１８４Ｌは、制御装置１７４によって選択的に回転又は停止される。
【００３６】
次に左投入シュート１５８Ｌを説明する。
左投入シュート１５８Ｌは、左螺旋装置１５４Ｌによって揚送された硬貨Ｃを左受入口１５２Ｌへ案内する機能を有する。
左投入シュート１５８Ｌは、縦長スリット状の通路であり、左案内溝１７０Ｌの上端部に連通し、左螺旋装置１５４Ｌによって揚送された硬貨Ｃが立った状態で左受入口１５２Ｌへ向かって転動するよう下壁が前下がりの左転動レール１９４Ｌによって構成される。
換言すれば、左螺旋突状１７２Ｌによって揚送された硬貨Ｃは、左螺旋突状１７２Ｌの傾斜によって自重により左投入シュート１５８Ｌ側へ転動し、左転動レール１９４Ｌ上を左受入口１５２Ｌへ向かって転動する。
【００３７】
（硬貨選別装置）
次に左硬貨選別装置１４２Ｌを図８〜図１２を参照して説明する。
本実施例は日本円仕様であり、１円から５００円の６金種の真偽及び金種を選別する。しかし、１円及び５円硬貨を処理不対象とし、返却するようにしてもよい。ユーロ硬貨仕様の場合、左硬貨選別装置１４２Ｌは８金種を選別する。しかし、必要に応じて選択された一部の金種のみを受入れ、その他の金種は左硬貨出金口１２２Ｌに返却するようにしてもよい。
左硬貨選別装置１４２Ｌは、左受入口１５２Ｌに投入された硬貨Ｃが所定の左転動通路１９０Ｌを転動する過程において、硬貨Ｃの物理的性質を左物理センサ１９６Ｌにより検知して当該硬貨Ｃの真偽及び金種を判別し、さらに転動する過程において判別結果に応じて所定の出口へ振り分けする機能を有している。
左硬貨選別装置１４２Ｌは、硬貨処理装置１２０の筐体に固定された縦向きチャンネル形の左ホルダ２００Ｌ（図５参照）によって垂立状態であって、かつ、当該ホルダ２００Ｌに容易に着脱可能に取り付けられている。
【００３８】
次に左硬貨選別装置１４２Ｌの金種別に設けられた硬貨出口の概略を図９及び図１０を参照して説明する。
金種別の出口としては、左返却口１９８Ｌ、左１円口２０２Ｌ、左５円口２０４Ｌ、左１０円口２０６Ｌ、左５０円口２０８Ｌ、左１００円口２１２Ｌ、左５００円口２１４Ｌ及び左オーバーフロー口２１６Ｌでああり、それぞれスリットに形成されている。
図１０に示すように、左返却口１９８Ｌは、左硬貨選別装置１４２Ｌの下面１４２ＬＵに配置され、返却硬貨ＲＣは自然落下により後述の左返却通路３３０Ｌを経由して左リジェクト通路１４４Ｌ（図４参照）を通って、左硬貨出金口１２２Ｌに返却される。
左硬貨選別装置１４２Ｌの左下面１４２ＬＵには、その他、例えば、左５０円口２０８Ｌ、左１００円口２１２Ｌ及び左５００円口２１４Ｌが配置されている。
硬貨選別装置１４２Ｌの背面１４２ＬＢの下部に左オーバーフロー口２１６Ｌが開口され、背面に沿って下方へ落下するので、左オーバーフロー口２１６Ｌは実質的に左硬貨選別装置１４２Ｌの左下面１４２ＬＵに開口されている。
残りの左１円口２０２Ｌ、左５円口２０４Ｌ、及び左１０円口２０６Ｌは右硬貨選別装置１４２Ｌに対面する右側面１４２ＬＲに配置される。
しかし、各硬貨Ｃの金種別の出口はこれに限られず、任意に設定できる。
【００３９】
右硬貨選別装置１４２Ｒの硬貨出口の概略を図１０を参照して説明する。
右硬貨選別装置１４２Ｒは左硬貨選別装置１４２Ｌと同一構成であって、平面視反対向きにそれらの正面１４２ＬＦと１４２ＲＦが第１直線Ｌ１上に位置するように配置してある。換言すれば、硬貨出口は第１直線Ｌ１の中間点Ｍ１に対し左右対称に配置されているが、設定されている金種は異なる。
右硬貨選別装置１４２Ｒの右返却口１９８Ｒは、右硬貨選別装置１４２Ｒの下面１４２ＲＵに配置され、返却硬貨ＲＣは自然落下により右リジェクト通路１４４Ｒを通って、右硬貨出金口１２２Ｒに返却される。
右硬貨選別装置１４２Ｒの下面１４２ＲＵには、その他、例えば、右１円口２０２Ｒ、右５円口２０４Ｒ、及び右１０円口２０６Ｒが配置され、右オーバーフロー口２１６Ｒは右硬貨選別装置１４２Ｒの下部背面１４２ＲＢに開口し、背面に沿って下方へ落下される。
残りの右５０円口２０８Ｒ、右１００円口２１２Ｒ、及び右５００円口２１４Ｒは左硬貨選別装置１４２Ｒに対面する左側面１４２ＲＬに配置される。
硬貨出口の配置を換言すれば、左硬貨選別装置１４２Ｌの左下面１４２ＬＵに配置されている左５０円口２０８Ｌ、左１００円口２１２Ｌ及び左５００円口２１４Ｌに相対する右５０円口２０８Ｒ、右１００円口２１２Ｒ及び右５００円口２１４Ｒは、対の右硬貨選別装置１４２Ｒの相対する左側面１４２ＲＬに配置されている。他方、右硬貨選別装置１４２Ｒの右下面１４２ＲＵに配置されている右１円口２０２Ｒ、右５円口２０４Ｒ及び右１０円口２０６Ｒに相対する左１円口２０２Ｌ、左５円口２０４Ｌ及び左１０円口２０６Ｌは、対の左硬貨選別装置１４２Ｌの相対する左側面１４２ＬＲに配置されている。
さらに換言すれば、左硬貨選別装置１４２Ｌの下面に配置されている硬貨出口と相対する右硬貨選別装置１４２Ｒの側面に配置されている硬貨出口とは同一金種である。
【００４０】
（硬貨選別装置の構造）
次に左硬貨選別装置１４２Ｌの構造の概略が図９及び図１３を参照して説明される。
左硬貨選別装置１４２Ｌは、大まかには左転動通路１９０Ｌ、左物理センサ１９６Ｌ、左第１振分装置２３６Ｌ、左第２振分装置２３８Ｌ、及び左第３振分装置２９２Ｌを含んでいる。
【００４１】
まず左転動通路１９０Ｌを図８及び図９を参照して説明する。
左転動通路１９０Ｌは、矩形の左本体２２４Ｌと、当該左本体２２４Ｌの上部中間に位置する左斜軸２２６Ｌを支点に回転自在に取り付けられ、最大厚み硬貨の厚みよりも僅かに大きい間隔で平行に配置された、台形状の左ドア２２８Ｌによって形成されている。
左ドア２２８Ｌの下端部には彎曲した左ガイドレール２３２Ｌが横向きに突出されている。左ドア２２８Ｌは、付勢手段（図示せず）によって左本体２２４Ｌに近づくよう付勢され、かつ、下端部に左ガイドレール２３２Ｌが一体に形成されている。
これにより、左リジェクター２３０Ｌを押し下げることにより左ドア２２８Ｌが左斜軸２２６Ｌを支点に回動し、左ガイドレール２３２Ｌが左本体２２４Ｌから離れることにより、左転動通路１９０Ｌの下端部が開口する。これにより、左転動通路１９０Ｌにおいてジャムした硬貨Ｃを左転動通路１９０Ｌから落下させ、左返却通路３３０Ｌを経由して左返却口１９８Ｌに返却することができる。
左転動通路１９０Ｌは、上向き漏斗形の左受入口１５２Ｌに連続して垂下した後、右下方へ前下がりに指向する硬貨Ｃの転動通路である。
左ドア２２８Ｌが左斜軸２２６Ｌを支点に左本体２２４Ｌから離れる方向に回転された場合、左ガイドレール２３２Ｌが横向きに傾き、硬貨Ｃは左ガイドレール２３２Ｌから左返却口１９８Ｌに返却することができる。
左転動通路１９０Ｌの下流端部に第１振分装置２３６Ｌが配置されている。
【００４２】
次に左物理センサ１９６Ｌを説明する。
左物理センサ１９６Ｌは、左転動通路１９０Ｌを挟んで左本体２２４Ｌと左ドア２２８Ｌに相対して固定された励磁コイルを巻き付けて高周波電流を印可した複数のフェライトにより構成され、当該励磁コイルの出力からの高周波電流を用いて左転動通路１９０Ｌを転動する硬貨Ｃの直径、厚み及び材質等に関する物理的性質を非接触により検知する公知の物理センサである。
【００４３】
次に左第１振分装置２３６Ｌを説明する。
左第１振分装置２３６Ｌは、左転動通路１９０Ｌを転動してきた硬貨Ｃを左５０円口２０８Ｌ、左１００円口２１２Ｌ、及び左返却口１９８Ｌに振り分け、及び１円、５円、１０円、５００円及びオーバーフロー金種硬貨を左第２振分装置２３８Ｌへ振り分ける機能を有する。
したがって、左第１振分装置２３６Ｌは同様の機能を有する他の装置に変更することができる。
左第１振分装置２３６Ｌは、左第１振分体２４０Ｌ及び左第２振分体２４２Ｌ、左第１移動レール２４４Ｌ、及び左第１ストッパ２４６Ｌを含んでいる。
【００４４】
左第１振分体２４０Ｌは、板状であって、全体として横長矩形に形成され、左転動通路１９０Ｌに対し下流側に位置し、僅かに傾斜配置され、縦向きの軸線回りに往復回動可能な左第１縦軸２４８Ｌから左転動通路１９０Ｌの上流側に向かって横向きに固定されている。
左第１振分体２４０Ｌは、先端が左本体２２４Ｌの裏側に向かって折り曲げられ、櫛歯状の左第１櫛歯部２５２Ｌに形成されている。
左第１振分体２４０Ｌの中間には、円形の左第１透孔２５４Ｌが形成されている。
左第１縦軸２４８Ｌに対し平行に、硬貨の厚みよりも大きな間隔で左第２縦軸２５６Ｌがその軸線回りに往復回動可能に配置されている。
左第２縦軸２５６Ｌから左転動通路１９０Ｌに向かって板状であって横長矩形の左第２振分体２４２Ｌが固定されている。
左第２振分体２４２Ｌは、左第１振分体２４０Ｌとほぼ同様の形状に形成され、先端には左第２櫛歯部２７３Ｌが、中間には円形の左第２透孔２６４Ｌが形成されている。
【００４５】
左第１振分体２４０Ｌは、図１３において時計方向に弾性的に付勢され、図示しないストッパによって左第１静止位置ＬＳＰ１に静止される。左第１振分体２４０Ｌが静止位置ＬＳＰ１に位置する場合、左転動通路１９０Ｌを構成する一方の左第１側壁２６６Ｌ１の延長線上に位置し、左第１櫛歯部２５２Ｌは左第１側壁２６６Ｌ１よりも裏側に位置している。
左第１側壁２６６Ｌ１の裏側には左第１振分通路２６８Ｌが形成され、下流に配置された左第２振分装置２３８Ｌ、その下流に配置された左第３振分装置２９２Ｌに選択的に連通される。
左第１振分体２４０Ｌは、左第３アクチュエータ２４７Ｌによって図１３において反時計方向に回動された左第１移動位置ＬＭＰ１（図１２参照）に位置することができる。
左第１移動位置ＬＭＰ１において、左第１振分体２４０Ｌの左第１櫛歯部２５２Ｌの先端は左第２側壁２６６Ｌ２の延長線上に位置する。
左第１振分体２４０Ｌが  左第１移動位置ＬＭＰ１に位置する場合、左転動通路１９０Ｌを転動してきた硬貨Ｃは、左第１振分体２４０Ｌの裏面によって左第１振分通路２６８Ｌに案内される。
【００４６】
左第２振分体２４２Ｌも図示しない付勢手段によって図１３において時計方向に弾性的に付勢され、図示しないストッパによって左第１櫛歯部２５２Ｌに左第２櫛歯部２７３Ｌが噛み合った左第２静止位置ＬＳＰ２において静止される。
【００４７】
左第１縦軸２４８Ｌと左第２縦軸２５６Ｌとは、最大厚み硬貨Ｃの厚みよりも離れて平行に配置され、左第２振分体２４２Ｌは左第２静止位置ＬＳＰ２と左第２移動位置ＬＭＰ２に選択的に位置される。
左第２振分体２４２Ｌが左第２静止位置ＬＳＰ２に位置する場合、左第２振分体２４２Ｌの表側（図１２及び図１３における下側）には５００円硬貨も通過可能な左返却通路３３０Ｌに連通される。
換言すれば、左第１振分体２４０Ｌ及び左第２振分体２４２Ｌが左第１静止位置ＬＳＰ１及び左第２静止位置ＬＳＰ２に位置する場合、左転動通路１９０Ｌを転動してきた硬貨Ｃは、左第２振分体２４２Ｌによって図１３において下方へ案内され、左返却通路３３０Ｌを通って、左返却口１９８Ｌへ案内される。
また、左第２振分体２４２Ｌは、左第５アクチュエータ２４９Ｌによって回動され、左第２移動位置ＬＭＰ２に位置する場合、先端の左第２櫛歯部２７３Ｌは左第２側壁２６６Ｌ２の延長上に位置し、左転動通路１９０Ｌから転動してくる硬貨Ｃを左第１振分体２４０Ｌと左第２振分体２４２Ｌとの間の左第２振分通路２６０Ｌに案内する。
【００４８】
左第１振分体２４０Ｌは、通常は左第１静止位置ＬＳＰ１に静止され、左第３アクチュエータ２４７Ｌによって図１３において反時計方向に回動された場合、左第１移動位置ＬＭＰ１において静止され、左第２側壁２６６Ｌ２の延長上に左第１櫛歯部２５２Ｌが位置する。左第２振分体２４２Ｌも反時計方向につれ回りされる。
このとき、通常は、左第１移動レール２４４Ｌが、左第１振分体２４０Ｌと左第２振分体２４２Ｌとの下方に位置せずに、左第１ストッパ２４６Ｌが左第１振分通路２６８Ｌ及び左第２振分通路２６０Ｌを横断している。
この状態において、左転動通路１９０Ｌを転動してきた硬貨Ｃは、左第１振分体２４０Ｌの裏面によってその裏側の左第１振分通路２６８Ｌに案内される。
左第１振分通路２６８Ｌの左第１ストッパ２４６Ｌの上流側は、垂下方向に延在する左５０円硬貨通路２６２Ｌが連続している。
この左５０円硬貨通路２６２Ｌには、左第１ストッパ２４６Ｌによって移動を阻止された左５０円硬貨５０Ｃが落下し、左５０円口２０８Ｌへ案内される。
【００４９】
次に左第１移動レール２４４Ｌを説明する。
左第１移動レール２４４Ｌは、左第１振分通路２６８Ｌ及び左第２振分通路２６０Ｌに転動してきた硬貨Ｃを更に、横方向に転動させて案内、又は案内せずに下方へ自重によって落下させる機能を有する。
左第１移動レール２４４Ｌは、左第１振分通路２６８Ｌ及び左第２振分通路２６０Ｌの下方に配置され、横向きかつ硬貨Ｃの転動方向に前下がりに傾斜する細長板状体である。
本実施例において、左第１移動レール２４４Ｌは横向きに配置された左第１横軸２７８Ｌに中間を固定された左第１揺動板２８２Ｌの下端部を横向きに折り曲げて形成されている。
左第１移動レール２４４Ｌが左第１振分通路２６８Ｌ及び左第２振分通路２６０Ｌの下側に位置する場合、通路の下側壁を構成する。換言すれば、左第１振分通路２６８Ｌ及び左第２振分通路２６０Ｌを転動する硬貨Ｃは、左第１移動レール２４４Ｌ上を転動する。
【００５０】
次に左第１ストッパ２４６Ｌを説明する。
左第１ストッパ２４６Ｌは、左第１振分通路２６８Ｌ及び左第２振分通路２６０Ｌに進行した硬貨Ｃの更なる転動を許すか、又は、硬貨Ｃの転動を阻止し、重力によって下方へ落下させる機能を有する。
左第１ストッパ２４６Ｌは、左第１揺動板２８２Ｌの左第１横軸２７８Ｌの反対側の上端部に横向きに固定された左第１棒状体２８４Ｌである。
左第１棒状体２８４Ｌは、通常状態において、左第１透孔２５４Ｌ及び左第２透孔２６４Ｌを貫通し、左第１振分通路２６８Ｌ及び左第２振分通路２６０Ｌを横断する左第１阻止位置ＬＩＰ１をとることができる。
【００５１】
左第１横軸２７８Ｌは、左第２アクチュエータ２７９Ｌによって選択的に回動されるが、通常状態においては図示しないスプリングによって付勢され、左第１透孔２５４Ｌ及び左第２透孔２６４Ｌを貫通した左第１阻止位置ＬＩＰ１において静止される。この状態において、左第１移動レール２４４Ｌは左第２振分通路２６０Ｌの下方には位置しない左第１通過位置ＬＴＰ１に位置する。
左第２アクチュエータ２７９Ｌによって回動された場合、左第１移動レール２４４Ｌは左第１振分通路２６８Ｌ及び左第２振分通路２６０Ｌの下方の左第１案内位置ＬＧＰ１に位置し、左第１振分通路２６８Ｌ又は左第２振分通路２６０Ｌに達した硬貨Ｃは左第１移動レール２４４Ｌ上を転動してさらに横方向へ案内される。
【００５２】
左第２振分通路２６０Ｌの左第１移動レール２４４Ｌの下方には左１００円口２１２Ｌに連なる左１００円硬貨通路２８６Ｌが形成されている。
本実施例において、左第１移動レール２４４Ｌと左第１ストッパ２４６Ｌは一体化され、一の左第２アクチュエータ２７９Ｌによって反対位相で移動されるようになっているが、それぞれ別体に構成し、格別のアクチュエータによって反対位相で移動するようにしても良い。しかし、本実施例のように一体化した場合、設置スペース、コスト及び制御面において有利である。
【００５３】
次に左第１振分装置２３６Ｌの作用を図１２を参照して説明する。
通常状態において、左第１振分装置２３６Ｌの左第１振分体２４０Ｌは左第１静止位置ＬＳＰ１に静止され、左第２振分体２４２Ｌは左第２静止位置ＬＳＰ２に静止され、左第１ストッパ２４６Ｌは左第１阻止位置ＬＩＰ１に静止され、左第１移動レール２４４Ｌは左第１通過位置ＬＴＰ１に静止される（図１２（Ａ））。
この状態において、硬貨Ｃが左受入口１５２に投入された場合、左転動通路１９０Ｌを転動した後、左第２振分体２４２Ｌによって逸らされて左返却通路３３０Ｌへ案内され、左返却口１９８Ｌから落下し、左リジェクト通路１４４Ｌを介して左硬貨出金口１２２Ｌへ戻される。この状態は、左第１振分装置２３６Ｌが選別可能状態に無い状態、換言すれば電源が入っていない状態、又は左物理センサ１９６Ｌが偽貨ＦＣを判別した場合に構成される。
【００５４】
左第２振分体２４２Ｌのみが移動位置ＬＭＰ２へ移動された場合（図１２（Ｂ））、硬貨Ｃは左第２振分通路２６０Ｌへ転動するが、左第１阻止位置ＬＩＰ１に位置する左第１ストッパ２４６Ｌによって横方向への転動を阻止され、また、左第１移動レール２４４Ｌが左第１通過位置ＬＴＰ１に位置することから、左１００円硬貨通路２８６Ｌを落下し、左１００円口２１２Ｌから落下する。
左第２振分体２４２Ｌが移動位置ＬＭＰ２へ移動され、さらに、左第１揺動板２８２Ｌが左第１通過位置ＬＴＰ１に移動された場合（図１２（Ｃ））、硬貨Ｃは左第１揺動板２８２Ｌによって左第１振分通路２６８Ｌに案内され、かつ、左第１ストッパ２４６Ｌによって横方向への進行が阻止されるので、垂下方向に延在する左５０円硬貨通路２６２Ｌによって、左５０円口２０８Ｌへ案内される。
【００５５】
次に左第１揺動板２８２Ｌが左第１案内位置ＬＧＰ１に移動した場合、左第１移動レール２４４Ｌが左第１振分通路２６８Ｌ及び左第２振分通路２６０Ｌの下壁を構成し、かつ、左第１ストッパ２４６Ｌは左第１振分通路２６８Ｌ及び左第２振分通路２６０Ｌから退出する（図１２（Ｄ））。
したがって、硬貨Ｃは左第１移動レール２４４Ｌ上を転動してさらに横方向下流に位置する左１０円口２０６Ｌ又は左１円口２０２Ｌへ案内される。
換言すれば、１円、５円、１０円、５００円の各硬貨Ｃ及び該当する金種の保留金庫が満杯時のオーバーフロー硬貨ＯＣが通過する。
【００５６】
さらに、左第１振分体２４０Ｌが左第１移動位置ＬＭＰ１、及び左第２振分体２４２Ｌが左第２移動位置ＬＭＰ２へ移動された場合（図１２（Ｅ）参照）、硬貨Ｃは左第１振分体２４０Ｌによって左第１振分体２４０Ｌの裏側の左第１振分通路２６８Ｌを経由して、左第２振分装置２３８Ｌへ案内される。
【００５７】
次に左第２振分装置２３８Ｌを説明する。
左第２振分装置２３８Ｌは、左第１移動レール２４４Ｌ上を転動した硬貨Ｃをさらに金種別の通路又は出口に振り分ける機能を有する。
左第２振分装置２３８Ｌは、左第２移動レール２７２Ｌ及び左第２ストッパ２７４Ｌを含んでいる。
本実施例において、左第２移動レール２７２Ｌは横向きに配置された左第２横軸２７６Ｌに中間を固定された左第２揺動板２８３Ｌの下端部を横向きに折り曲げて形成されている。
【００５８】
左第２ストッパ２７４Ｌは、左第２横軸２７６Ｌから左第２揺動板２８３Ｌの反対側である上方に突出する左第２棒体２８２Ｌの上端から横向きに突出している棒体である。
左第２揺動板２８３Ｌは、常時スプリング等の付勢手段（図示せず）によって付勢され、第３静止位置ＬＳＰ３において静止している。
この状態において、左第２ストッパ２７４Ｌは左１円口２０２Ｌ及び左１０円口２０６Ｌを塞がない。
左第２移動レール２７２Ｌが左第３静止位置ＬＳＰ３に位置する場合、左第１振分通路２６８Ｌ又は左第２振分通路２６０Ｌを転動してきた硬貨Ｃが当該左第２移動レール２７２Ｌ上を転動する。
そして、左第１振分通路２６８Ｌを転動してきた硬貨Ｃは、左１０円口２０６Ｌから、左第２振分通路２６０Ｌを転動してきた硬貨Ｃは左１円口２０２Ｌから転がり出る。
【００５９】
左第２移動レール２７２Ｌが左第３静止位置ＬＳＰ３から左第３移動位置ＬＭＰ３に移動した場合、左第２移動レール２７２Ｌは左第１振分通路２６８Ｌ又は左第２振分通路２６０Ｌを構成しない位置へ退避し、左第２ストッパ２７４Ｌは左１０円口２０６Ｌ及び左１円口２０２Ｌを塞ぐ左第２阻止位置ＬＩＰ２に位置する。
この状態において、まず左第２振分体２４２Ｌのみが左第２移動位置ＬＭＰ２に移動された場合（図１２（Ｂ））、左第２振分通路２６０Ｌを転動してきた硬貨Ｃは、左第２ストッパ２７４Ｌによって阻止されて左１０円口２０６Ｌから出ることが出来ず、かつ、左第２移動レール２７２Ｌが存在しないので、その下方において垂下方向に延在する５００円硬貨通路２８９Ｌをさらに落下し、左５００円口２１４Ｌから落下する。
この状態において、左第１振分体２４０Ｌも左第１移動位置ＬＭＰ１へ移動された場合（図１２（Ｃ））、左第２振分通路２６０Ｌを転動してきた硬貨Ｃは、左第２ストッパ２７４Ｌによって阻止されて左１０円口２０６Ｌから出ることが出来ず、かつ、左第２移動レール２７２Ｌが存在しないので、その下方において垂下方向に延在する第３振分通路２９４Ｌをさらに落下し第３振分装置２９２Ｌに達する。
【００６０】
次に左第３振分装置２９２Ｌを説明する。
左第３振分装置２９２Ｌは、左第１振分通路２６８Ｌに振り分けられた硬貨Ｃであって、左１０円口２０６Ｌへの移動を左第２ストッパ２７４Ｌによって阻止され、左第３振分通路２９４Ｌを落下する硬貨Ｃを振り分ける機能、換言すれば、上下方向に延在する通路に配置され、左物理センサ１９６Ｌによって検知された金種に基づいて左５円硬貨通路２８８Ｌ又は金庫通路３０４Ｌに振り分ける機能を有する。
左第３振分装置２９２Ｌは、ほぼ水平状態において時計又は反時計方向に回動可能な左第３横軸２９６Ｌ、当該左第３横軸２９６Ｌに下端部が固定され、上方に向かって延在する左第３揺動板２９８Ｌ、及び第４アクチュエータ２９９Ｌを含んでいる。
【００６１】
左第３揺動板２９８Ｌは弾性的に一方向に回動力を付与され、第４アクチュエータ２９９Ｌが作動されない場合、弾性的に垂下方向に延在する５円硬貨通路２８８Ｌに連なるよう位置される。
この場合、硬貨Ｃは左５円硬貨通路２８８Ｌを落下して、その下端の左５円口２０４Ｌから転がり出る。
第４アクチュエータ２９９Ｌが作動された場合、左第３揺動板２９８Ｌは垂下方向に延在する金庫通路３０４Ｌに接続するよう回動される。
この場合、硬貨Ｃは金庫通路３０４Ｌへ案内され、左本体２２４Ｌの下部背面の左オーバーフロー口２１６Ｌから金庫（図示せず）へ落下する。
【００６２】
次に左返却通路３３０Ｌを説明する。
左返却通路３３０Ｌは、左ドア２２８Ｌの下方に配置され、硬貨Ｃが自重によって自然落下（転動を含む）できるよう縦向きに形成された、断面スリット状の通路である。
即ち、スリットの寸法は、最大硬貨である５００円が自由落下できる寸法に形成されている。
左返却通路３３０Ｌの下端の一部は左下向き斜面３０６Ｌに形成され、左返却口１９８Ｌに案内する。
これにより、左返却通路３３０Ｌを落下した硬貨Ｃは左返却口１９８Ｌから左リジェクト通路１４４Ｌを経由して左硬貨出金口１２２Ｌに戻される。
【００６３】
（硬貨通路装置）
次に硬貨通路装置１４６を図１４〜図１８を参照して説明する。
硬貨通路装置１４６は左硬貨選別装置１４２Ｌ又は右硬貨選別装置１４２Ｒによって金種別出口に振り分けられた硬貨を、金種別の硬貨保留装置３１２に重力によって案内する機能を有する。
したがって、硬貨通路装置１４６は左硬貨通路装置１４６Ｌ及び右硬貨通路装置１４６Ｒによって構成されている。
本実施例においては、左硬貨通路装置１４６Ｌ及び右硬貨通路装置１４６Ｒは同一構成であり、左右対称に配置される。
換言すれば、左硬貨通路装置１４６Ｌ及び右硬貨通路装置１４６Ｒは中間点Ｍ１に対し点対称に配置されている。
そして、左硬貨通路装置１４６Ｌ及び右硬貨通路装置１４６Ｒが共同して硬貨通路装置１４６を構成する。
左硬貨通路装置１４６Ｌ及び右硬貨通路装置１４６Ｒは同一構成なので、左硬貨通路装置１４６Ｌを代表して説明する。
【００６４】
左硬貨通路装置１４６Ｌは、左硬貨選別装置１４２Ｌの金種別出口である左５００円口２１４Ｌ、左１００円口２１２Ｌ、左５０円口２０８Ｌ、左１０円口２０６Ｌ、左５円口２０４Ｌ、左１円口２０２Ｌ及び左オーバーフロー口２１６Ｌから排出された各硬貨Ｃを硬貨保留装置３１２に重力により金種別に案内する機能を有する。
換言すれば、各硬貨出口から排出された硬貨Ｃは、左硬貨通路装置１４６Ｌを自然落下（転動を含む）して硬貨保留装置３１２に達する。
左硬貨通路装置１４６Ｌは、硬貨Ｃが大凡垂直に落下する左垂立シュート部３１４Ｌ及び断面Ｕ形の樋状であり、硬貨Ｃが立った状態で自重により転動可能である左転動シュート部３１６Ｌ及び左ホルダ２００Ｌにより構成されている。
具体的には、左ホルダ２００Ｌの下側に左垂立シュート部３１４Ｌ、左ホルダ２００Ｌの右側側面、すなわち、左硬貨選別装置１４２Ｌの右側面１４２ＬＲ、換言すれば、もう一方の右硬貨選別装置１４２Ｒに相対する面に左転動シュート部３１６Ｌの一端が固定されている。
【００６５】
まず左垂立シュート部３１４Ｌが図１５を参照して説明される。
左垂立シュート部３１４Ｌは、左硬貨選別装置１４２Ｌの下面に配置された左５００円口２１４Ｌ、左１００円口２１２Ｌ、左５０円口２０８Ｌ及び左オーバーフロー口２１６Ｌから落下した硬貨Ｃをその下方に配置された硬貨保留装置３１２の対応する金種別の保留装置３１２に案内する機能を有する。
左垂立シュート部３１４Ｌは、上下方向、すなわち、垂直に延在する４つの断面矩形の左５０円通路３１８Ｌ、左１００円通路３２２Ｌ、左５００円通路３２４Ｌ及び左オーバーフロー通路３２６Ｌを含み、相対する右硬貨選別装置１４２Ｒ側から順に遠ざかる方向に左５００円通路３２４Ｌ、左１００円通路３２２Ｌ及び左５０円通路３１８Ｌが隣接並置されている。左オーバーフロー通路３２６Ｌは左５００円通路３２４Ｌに対し横方向に並置されている。
換言すれば、左５００円通路３２４Ｌの上面全体に対し左硬貨選別装置１４２Ｌの右側端部が相対し、左５０円通路３１８Ｌ及び左１００円通路３２２Ｌの中間に対し左硬貨選別装置１４２Ｌが相対する。
【００６６】
また、これら左５０円通路３１８Ｌ、左１００円通路３２２Ｌ、左５００円通路３２４Ｌの側方、換言すれば図１５において上側には、各通路の一部を構成する、左５０円通路突出部３１９Ｌ、左１００円通路突出部３２３Ｌ及び左５００円通路突出部３２５Ｌが形成されている。
したがって、左５０円通路突出部３１９Ｌを含んだ左５００円通路３１８Ｌ、左１００円通路突出部３２３Ｌを含んだ左１００円通路３２２Ｌ及び左５００円通路突出部３２５Ｌを含んだ左５００円通路３２４Ｌは平面視縦長矩形に形成され、突出量は、左５００円通路突出部３１９Ｌ、左１００円通路突出部３２３Ｌ及び左５０円通路突出部３２５Ｌの順に大きい。換言すれば、各突出部は段階的に突出している。
【００６７】
左５０円通路３１８Ｌは、板金により平面視矩形筒形に形成され、上面は全面が開口され、下面は図１５における左５０円突出部３１９Ｌの図１５において上端部に左５０円落下口３１８ＬＭが構成され、その他の底面は５０円硬貨５０Ｃが重力により滑り落ちるように前下がりの斜面に形成された左５０円傾斜面３４６Ｌが形成される。
左１００円通路３２２Ｌは板金により平面視矩形筒形に形成され、上面は全面が開口され、下面は図１５における上下方向の下端部に左１００円落下口３２２ＬＭが形成され、その他の底面は１００円硬貨１００Ｃが重力によって滑り落ちるよう前下がりの左１００円傾斜面３４８Ｌに形成されている。
左５００円通路３２４Ｌは、本実施例では左第一５００円通路３４２Ｌ１及び左第ニ５００円通路３４２Ｌ２により構成されている。
左第一５００円通路３４２Ｌ１及び左第ニ５００円通路３４２Ｌ２は板金により平面視矩形筒形に形成され、上面は全面が開口され、所定の間隔で並列されている。
換言すれば、左第一５００円通路３４２Ｌ１及び左第ニ５００円通路３４２Ｌ２は断面矩形の垂立通路である。
本実施例においては、二つの垂立通路によって左５００円通路を構成したが、他の通路と同様に一つにしたり、底面を前下がりの斜面にすることができる。
左オーバーフロー通路３２６Ｌは、本実施例において左第一５００円通路３４２Ｌ１及び左第ニ５００円通路３４２Ｌ２の間に配置され、平面視矩形筒形に形成され、上面は全面が開口され、底面を前下がりの斜面にし、図１５において右横方向端部にオーバーフロー落下口３２６ＬＭが形成され、底面を滑り落ちてきた硬貨が当該口から後述の左オーバーフロー金庫４２４に落下する。
【００６８】
左５０円通路３１８Ｌは奥行きが長さ５０Ｄ、幅が長さ５０Ｗの縦長矩形に形成されている。
左１００円通路３２２Ｌは奥行きが左５０円通路３１８Ｌの５０Ｄよりも短い長さ１００Ｄに、幅が長さ５０Ｗよりも大きい１００Ｗの縦長矩形に形成されている。
左５００円通路３２４Ｌは奥行きが１００Ｄよりも小さい５００Ｄに、幅は幅５０Ｗよりも小さい５００Ｗに形成されている。
詳細には、奥行きＤは、左５０円通路３１８Ｌが最も長く、続いて左１００円通路３２２Ｌ、左５００円通路３２４Ｌの順に長い。
左５０円通路３１８Ｌ、左１００円通路３２２Ｌ及び左第一５００円通路３２４Ｌ１は、それらの一側壁が第２直線Ｌ２上に配置され、対面する側壁は左５０円通路３１８Ｌ、左１００円通路３２２Ｌ、左第ニ５００円通路３２４Ｌの順に第２直線Ｌ２に近づくように設定されている。
【００６９】
前述したように左硬貨選別装置１４２Ｌにおける、左５０円通路３１８Ｌ、左１００円通路３２２Ｌ、左第一５００円通路３２４Ｌ１及び左オーバーフロー通路３２６Ｌの上面開口は、左硬貨選別装置１４２Ｌの下面に配置された左５００円口２１４Ｌ、左１００円口２１２Ｌ、左５０円口２０８Ｌの一部に面している。したがって、左５００円通路突出部３１９Ｌ、左１００円通路突出部３２３Ｌ及び左第ニ５００円通路の上面開口は左硬貨選別装置１４２Ｌに面していない。
左オーバーフロー口２１６Ｌは左本体２２４Ｌの下部背面に配置されているので、物理的には左金庫通路３０４Ｌに面していないが、左オーバーフロー口２１６Ｌから落下した硬貨Ｃが左オーバーフロー通路３２６Ｌに落下するよう配置されている。
【００７０】
左垂立シュート部３１４Ｌの正面（図１５において下側）に左返却通路樋３３０Ｌが配置されている。
詳述すれば、左垂立シュート部３１４Ｌの正面側壁に断面Ｕ形であって、左硬貨出金口１２２Ｌ側に向かって前下がりの左返却通路樋３３０Ｌが固定されている。
これにより、左返却口１９８Ｌから落下した硬貨Ｃは、左返却通路樋３３０Ｌを転動した後、左リジェクト通路１４４Ｌを落下して左硬貨出金口１２２Ｌへ戻される。
【００７１】
次に右垂立シュート部３１４Ｒが図１５を参照して説明される。
図１５において、右垂立シュート部３１４Ｒは一点鎖線により表示してある。
右垂立シュート部３１４Ｒは基本的構造は左垂立シュート部３１４Ｌと同一であるが、各通路毎に設定される金種が右硬貨選別装置１４２Ｒの設定に適合するように設定される。
具体的には、左５０円通路３１８Ｌに相対する通路は右１０円通路３１８Ｒ、左１００円通路３２２Ｌに相対する通路は右５円通路３２２Ｒ、及び左５００円通路３２４Ｌに相対する通路は右１円通路３２４Ｒ及び左オーバーフロー通路３２６Ｌに相対する通路は右オーバーフロー通路３２６Ｒに設定されている。
【００７２】
次に右硬貨選別装置１４２Ｒにおける硬貨出口が図１０を参照して説明される。
右硬貨選別装置１４２Ｒは、構造的には左硬貨選別装置１４２Ｌと同一であるが、裏返しに配置され、かつ硬貨出口の金種は異なって設定されている。左硬貨通路装置１４６Ｌ及び右硬貨通路装置１４６Ｒの構造を簡単化し、硬貨ジャム発生防止、小型化及び低コスト化のためである。
換言すれば、右硬貨選別装置１４２Ｒは、中間点Ｍ１に対し左硬貨選別装置１４２Ｌと点対称をなしている。
詳述すれば、右硬貨選別装置１４２Ｒの下面１４２ＲＵにおける左５０円口２０８Ｌに相当する出口が右１０円口２０６Ｒ、左１００円口２１２Ｌに相当する出口が右５円口２０４Ｒ、左５００円口２０８Ｌに相当する出口が右１円口２０２Ｒに設定され、左返却口１９８Ｌに相当する出口は同様に右返却口１９８Ｒに、及び左オーバーフロー口２１６Ｌに相当する出口が右オーバーフロー口２１６Ｒに設定されている。
左硬貨選別装置１４２Ｌの右側面１４２ＬＲの左１円口２０２Ｌに相当する出口が右５００円口２１４Ｒ、左５円口２０４Ｌに相当する出口が右１００円口２１２Ｒ、及び左１０円口２０６Ｌに相当する出口が右５０円口２０８Ｒに設定されている。
【００７３】
次に左転動シュート部３１６Ｌを説明する。
左転動シュート部３１６Ｌは、左硬貨選別装置１４２Ｌの側面に配置された左１円口２０２Ｌ、左５円口２０４Ｌ及び左１０円口２０６Ｌから排出された硬貨Ｃが転動して対面する右硬貨選別装置１４２Ｒの右垂立シュート部３１４Ｒの真上に案内する機能を有する。
左転動シュート部３１６Ｌは、左１０円転動シュート３３２Ｌ、左５円転動シュート３３４Ｌ及び左１円転動シュート３３６Ｌを含んでいる。
【００７４】
左１０円転動シュート３３２Ｌ、左５円転動シュート３３４Ｌ及び左１円転動シュート３３６Ｌは、硬貨Ｃが転動可能な断面スリット形の前下がりに傾斜する通路である。
本実施例において、これらシュートは図１７に図示するように、大まかには４枚の板状体である左第１シュート板３５４Ｌ、左第２シュート板３５６Ｌ、左第３シュート板３５８Ｌ、左第４シュート板３６２Ｌ及び左垂立ガイド３６４Ｌによって構成される。
詳述すれば、左第１シュート板３５４は横方向に長く形成され、直角に折り曲げられた第１タブ３６６Ｌが左ホルダ２００Ｌに固定される。
左第１シュート板３５４Ｌの側方の上側に下端に長手方向に延在する左第１ガイドレール３６８Ｌを形成した左第２シュート板３５６Ｌをあてがうことにより、左第１ガイドレール３６８Ｌ、左第１シュート板３５４Ｌ及び左第２シュート板３５６Ｌにより囲まれ、下流端の下側に左第１落下口３８７Ｌに連なる前下がりの左第１シュート通路３７２Ｌが形成される。左第２シュート板３５６Ｌにおいて直角に折り曲げられた左第２タブ３７０Ｌも左ホルダ２００Ｌに固定される。
【００７５】
左第１シュート板３５４Ｌの他側の下側に断面チャンネル形の左第３シュート板３５８Ｌが固定される。
左第３シュート板３５８Ｌの上縁と下縁は直角に折り曲げられ、上縁は左第２ガイドレール３７４Ｌ、下縁は左第３ガイドレール３７６Ｌに形成してある。
左第３シュート板３５８Ｌの先端部上縁は、左第２ガイドレール３７４Ｌの延長線の下方において、左第４シュート板３６２側に向かって下向きの左傾斜面３７８Ｌに形成されている。
左第３シュート板３５８Ｌの背面に左第４シュート板３６２Ｌがあてがわれている。
換言すれば、左第２ガイドレール３７２Ｌ、左第１シュート板３５４Ｌの上部及び左第４シュート板３６２Ｌの上部で囲われた断面スリット形の左第２シュート通路３８２Ｌ、及び左第３ガイドレール３７６Ｌ、左第１シュート板３５４Ｌの下部及び左第３シュート板３３８Ｌで囲われた断面スリット形の左第３シュート通路３８４Ｌが形成される。
【００７６】
左第４シュート板３６２Ｌの左第３タブ３８０Ｌも左ホルダ２００Ｌに固定される。
左傾斜面３７８Ｌに隣接して断面チャンネル形の左垂立ガイド３６４Ｌが第１シュート板３５４Ｌの先端部に固定され、垂下する左垂下通路３８３Ｌが第３シュート通路３８４Ｌに連通して形成される。左垂下通路３８３Ｌは左第３シュート通路３８４Ｌの一部である。
左第２シュート通路３８２Ｌの出口は、左傾斜面３７８Ｌの下方に形成された左第２落下口３８５Ｌである。
左垂下通路３８３Ｌの下端が左第３落下口３８６Ｌである。
【００７７】
左第１シュート通路３７２Ｌの上流側端面は、左１０円口２０６Ｌに相対配置され、左第２シュート通路３８２Ｌの上流側端面は左１円口２０２Ｌに相対配置され、左第３シュート通路３８４Ｌの上流側端面は左５円口２０４Ｌに相対配置される。詳細には、左ホルダ２００Ｌに左１０円口２０６Ｌ、左１円口２０２Ｌ及び左５円口２０４Ｌに相対して形成されたスリットを介して連通される。
換言すれば、本実施例において、左第１シュート通路３７２Ｌは１０円硬貨１０Ｃが転動し、左第１落下口３８７Ｌから落下する。
左第２シュート通路３８２Ｌは１円硬貨１Ｃが転動し、左第２落下口３８６Ｌから落下する。
左第３シュート通路３８４Ｌは５円硬貨５Ｃが転動し、左第３落下口３８５Ｌから落下する。
これら落下口は右垂立シュート部３１４Ｒの対応する金種通路の上方に配置される。
【００７８】
換言すれば、左第１落下口３８７Ｌは右１０円通路３１８Ｒの直上に配置され、左第１シュート通路３７２Ｌを転動した１０円硬貨１０Ｃは、左第１落下口３８７Ｌの真下に位置する右１０円通路３１８Ｒに落下し、最終的に右１０円落下口３１８ＲＭから後述の１０円硬貨ホッパ４１０−１０に落下する。
左第２落下口３８６Ｌは右１円通路３４２Ｒ１の真上に配置され、左第２シュート通路３８２Ｌを転動した１円硬貨１Ｃは、左第２落下口３８３Ｌの真下に位置する右１円通路３４２Ｒに落下し、最終的に右１円落下口３４２ＲＭから１円硬貨ホッパ４１０−１に落下する。
左第３落下口３８５Ｌは右５円通路３２２Ｒの真上に配置され、左第３シュート通路３８４Ｌを転動した５円硬貨５Ｃは、左第３落下口３８５Ｌの真下に位置する右第一５円通路３２２Ｒ１から５円硬貨ホッパ４１０−５に落下する。
【００７９】
一方、右第１シュート通路３７２Ｒの入口は、右５０円口２０８Ｒに相対配置され、右第２シュート通路３８２Ｒの入口は右５００円口２１４Ｒに相対配置され、右第３シュート通路３８４Ｒの出口は右１００円口２１２Ｒに相対配置される。
右第１シュート通路３７２Ｒの下流端に位置する右第１落下口３８７Ｒは、左５０円通路３１８Ｌの真上に配置され、右第２シュート通路３８２Ｒの下流端に位置する右第２落下口３８５Ｒは、左第二５００円通路３２４Ｌ２の真上に配置され、右第３シュート通路３８４Ｒの下流端に位置する右第３落下口３８６Ｌは左１００円通路３２２Ｌの真上に配置される。
換言すれば、本実施例において、右第１シュート通路３７２Ｒは５０円硬貨５０Ｃが転動し、右第１落下口３８７Ｒから左５０円通路３１８Ｌに落下し、最終的に左５０円落下口３１８ＬＭから５０円硬貨ホッパ４１０−５０に落下する。
右第２シュート通路３８２Ｒは５００円硬貨５００Ｃが転動し、右第２落下口３８５Ｒから左５００円通路３２４Ｌに落下し、そして５００円硬貨ホッパ４１０−５００に落下する。
右第３シュート通路３８４Ｒは１００円硬貨が転動し、右第３落下口３８６Ｒから左１００円通路３２２Ｌに落下し、最終的に左１００円落下口３２２ＬＭから１００円硬貨ホッパ４１０−１００に落下する。
【００８０】
これにより、左右一対の左硬貨選別装置１４２Ｌ及び右硬貨選別装置１４２Ｒの対面する側面に形成された硬貨出口から排出される硬貨Ｃは、前下がりに直線的に傾斜する各硬貨通路を転動して対面する硬貨選別装置の下方に配置されている左垂立シュート部３１４Ｌ又は右垂立シュート部３１４Ｒによって金種別に集約され、それら左垂立シュート部３１４Ｌ又は右垂立シュート部３１４Ｒの真下に配置されている硬貨保留装置３１２に金種毎にバラ済み状態で保留される。
【００８１】
（共通部分）
次に共通部分１３４を説明する。
共通部分１３４は、左個別部分１３２Ｌ及び右個別部分１３２Ｒに対し共通という意味であり、硬貨保留装置３１２、共通シュート３９２、振分装置３９４及び出金ベルト３９６を含んでいる。
【００８２】
（硬貨保留装置）
まず硬貨保留装置３１２を図１９及び図２０を参照して説明する。
硬貨保留装置３１２は、硬貨Ｃを金種別に保留すると共に硬貨Ｃを一枚ずつ区分けして払出す機能を有する。
硬貨保留装置３１２は、例えば、筒形の保留ボウル４０２、保留ボウル４０２の底孔４０３に配置した通孔４０４を有する回転ディスク４０６、回転ディスク４０６によってその周方向に押し出される硬貨Ｃの弾き出し装置４０７、弾き出された硬貨Ｃを検知するカウントセンサ４０８、カウントセンサ４０８を通過した硬貨Ｃのための払い出し口４０９を含む硬貨ホッパ４１０である。
【００８３】
詳述すれば、図１９に示すように１円用の硬貨ホッパ４１０−１、５円用の硬貨ホッパ４１０−５、１０円用の硬貨ホッパ４１０−１０、５０円用の硬貨ホッパ４１０−５０、１００円用の硬貨ホッパ４１０−１００及び５００円用の硬貨ホッパ４１０−５００が用いられる。これら硬貨ホッパは、基本的に同一構成であるが、保留する硬貨の直径に適合するよう通孔４０４の直径がそれぞれ異なる。
そして、上記ホッパは所定の間隔で二列に並列配置されている。
詳述すれば、１円用の硬貨ホッパ４１０−１、５円用の硬貨ホッパ４１０−５、１０円用の硬貨ホッパ４１０−１０が右硬貨選別装置１４２Ｒの下方に右ホッパ列４１２Ｒとして直線Ｌ４に沿って一列に、５０円用の硬貨ホッパ４１０−５０、１００円用の硬貨ホッパ４１０−１００及び５００円用の硬貨ホッパ４１０−５００が左硬貨選別装置１４２Ｌの下方に左ホッパ列４１２Ｌとして直線Ｌ３に沿って一列に配置されている。
【００８４】
１円用硬貨ホッパ４１０−１〜５００円用硬貨ホッパ４１０−５００は、図４に示すように出金装置ボックス４１４上に固定されている。
出金装置ボックス４１４は対面式硬貨処理装置１００の硬貨筐体１２３内からスライドレール４１６によって引き出し可能に配置される。硬貨ホッパ４１０−１〜４１０−５００等のメンテナンスや交換の便宜のためである。
【００８５】
左ホッパ列４１２Ｌと右ホッパ列４１２Ｒは対向するホッパ列に向かって硬貨Ｃを払い出すよう弾き出し装置４０７が所定の間隔で向かい合って設定される。
これら左ホッパ列４１２Ｌと右ホッパ列４１２Ｒとの間には、オーバーフロー保留装置４２２たる箱形のオーバーフロー金庫４２４が着脱自在又はそれらの間から引き出し可能に配置される。オーバーフロー金庫４２４内の硬貨Ｃを回収し易くするためである。
【００８６】
次にオーバーフロー金庫４２４が図１９及び図２１を参照して説明される。
オーバーフロー金庫４２４は矩形箱形であり、上面４２６の全面が開口されている。オーバーフロー金庫４２４の端部に取扱用のハンドル４２８が取り付けられている。オーバーフロー金庫４２４の、引き出しの便宜のためである。
左オーバーフロー口２１６Ｌから落下する硬貨Ｃは、上下方向に延在する左オーバーフロー通路３２６Ｌ及び右オーバーフロー口２１６Ｒから落下する硬貨Ｃは右オーバーフロー通路３２６Ｒに案内されてオーバーフロー金庫４２４に落下する。
左右のオーバーフロー通路３２６Ｌ、２３６Ｒは、１円〜５００円硬貨１Ｃ〜５００Ｃを案内するので、何れの硬貨Ｃも硬貨ジャムを生じないようにその大きさが設定される。
【００８７】
（共通シュート）
次に共通シュート３９２が図２２を参照して説明される。
共通シュート３９２は、漏斗形に形成され、１円用の硬貨ホッパ４１０−１、５円用の硬貨ホッパ４１０−５、１０円用の硬貨ホッパ４１０−１０、５０円用の硬貨ホッパ４１０−５０、１００円用の硬貨ホッパ４１０−１００及び５００円用の硬貨ホッパ４１０−５００から払い出された硬貨１Ｃ〜５００Ｃを所定位置に、具体的にはその下方に配置された振分装置３９４に案内する機能を有する。
本実施例において、共通シュート３９２は、第１サイドプレート４３２、第２サイドプレート４３４、第３サイトプレート４３６、第４サイドプレート４３８、第１傾斜板４４２、第２傾斜板４４４、及びトップカバ４４６によって構成されている。
【００８８】
横長Ｔ形の第１サイドプレート４３２と第２サイドプレート４３４の間に、傾斜面が対面配置され、かつ、中間から下方が幅Ｗ２（第２傾斜板４４４のみ図示）の狭幅部４４８に形成された第１傾斜板４４２及び第２傾斜板４４４の狭幅部４４８をサンドイッチし、かつ、前記傾斜下端が所定の間隔で配置されることにより漏斗部４５４を構成し、当該傾斜下端間に落下口４５６が構成された漏斗体４５８を構成する。
第１傾斜板４４２及び第２傾斜板４４４の上端部の第１垂立部４７４及び第２垂立部４７６は第１サイドプレート４３２及び第２サイドプレート４３４の上方に突出している。
トップカバ４４６は、下面が解放された矩形箱形に形成され、第１短辺部４７８及び第２短辺部４８２を第１垂立部４７４及び第２垂立部４７６の外側に位置させて着脱可能に被せる。
【００８９】
漏斗体４５８にトップカバ４４６を被せた状態が共通シュート３９２である。
トップカバ４４６の長手方向の側面下部に所定間隔で下向きの第１凹溝４８４、第２凹溝４８６及び第３凹溝４８８が形成され、対面する側面にも三つの凹溝が形成されている。
共通シュート３９２は、左ホッパ列４１２Ｌと右ホッパ列４１２Ｒとの間であって、かつ、オーバーフロー金庫４２４の下方に配置される。
【００９０】
具体的には、横長であってその長手方向において所定間隔で横長の第１開口４９２、第２開口４９４、及び第３開口４９６が形成された第３サイドプレート４３６、及び、第３サイドプレート４３６と同様に第４開口４９３、第５開口４９５、及び第６開口４９７が形成された第４サイドプレート４３８が出金装置ボックス４１４の上面に所定の間隔で平行に固定される。
第１開口４９２、第２開口４９４、及び第３開口４９６には左ホッパ列４１２Ｌの硬貨ホッパ４１８−５００、４１８−５０及び４１８−１００のための給電及び通信用コネクタが装着される。
第４開口４９３、第５開口４９５、及び第６開口４９７には、右ホッパ列４１２Ｒの硬貨ホッパ４１０−５、４１８−１０、４１８−１のための給電及び通信用コネクタが装着される。
共通シュート３９２は、その第１サイドプレート４３２が第３サイドプレート４３６に、第２サイドプレート４３４が第４サイドプレート４３８に挟まれて所定の取付位置に保持される。
【００９１】
共通シュート３９２が取付位置に保持される場合、第１凹溝４８４は、右ホッパ列４１２Ｒの１円用硬貨ホッパ４１０−１の払い出し口４０９、第２凹溝４８６は１０円用硬貨ホッパ４１０−１０の払い出し口４０９、及び第３凹溝４８８は５円ホッパ４１０−５の払い出し口４０９に相対している。
第１凹溝４８４、第２凹溝４８６及び第３凹溝４８８に相対して形成された他側の凹溝は、左ホッパ列４１２Ｌの５００円用硬貨ホッパ４１０−５００の払い出し口４０９、１００円用硬貨ホッパ４１０―１００の払い出し口４０９、及び５０円ホッパの払い出し口４０９に相対配置されている。
したがって、１円用硬貨ホッパ４１０−１〜５００円用硬貨ホッパ４１０−５００から払い出される硬貨１Ｃ〜５００Ｃは、漏斗部４５４へ払い出され、第１傾斜板４４２又は第２傾斜板４４４上を滑り落ちる過程で集約されて落下口４５６から振分装置３９４に落下する。
【００９２】
（振分装置） 
次に振分装置３９４を図５及び図２３を参照して説明する。
振分装置３９４は、共通シュート３９２の落下口４５６から落下する硬貨Ｃを滑り台式に払い出すべき左硬貨出金口１２２Ｌ又は右硬貨出金口１２２Ｒ側へ案内する機能を有する。出金ベルト３９６の走行のみよって、硬貨Ｃを左硬貨出金口１２２Ｌ又は右硬貨出金口１２２Ｒへ速やかに出金できる場合、振分装置３９４は必須の装置ではない。しかし、振分装置３９４を設けた場合、一層速やかに出金できることが実験により確認されている。
振分装置３９４は、振分板５０２、スプリング５０４、アクチュエータ５０６及び第１ストッパ５０８、第２ストッパ５１２を含んでいる。
【００９３】
振分板５０２は、矩形板状であり、中間から左ホッパ列４１２Ｌ及び右ホッパ列４１２Ｒに沿って回動軸５１４が突出している。
回動軸５１４は、出金ベルト３９６の上方において、水平、かつ、回転自在に軸受（図示せず）に支持されている。
回動軸５１４に対し横方向に延在してレバー５１６が固定され、当該レバー５１６には一端を固定部に係止されたスプリング５０４が係止され、振分板５０２が所定方向に回転するよう弾性的に付勢されている。
本実施例においては、図２３において反時計方向、換言すれば、左硬貨出金口１２２Ｌ側に下向き傾斜するよう付勢されている。
振分板５０２は第１ストッパ５０８によってその左側先端５０２Ｌが出金ベルト３９６の上側ベルト３９６Ｕの上面との距離が最薄硬貨Ｃの厚みよりも小さい隙間を有するよう係止される。
【００９４】
アクチュエータ５０６は、右硬貨出金口１２２Ｒに硬貨Ｃを搬送する場合に作動され、振分板５０２をスプリング５０４の付勢力に反して回動軸５１４回りに回動させる。
この回動は、第２ストッパ５１２によって、振分板５０２の右側先端５０２Ｒが出金ベルト３９６の上面との距離が最薄硬貨Ｃの厚みよりも小さい間隔を有するよう係止される。
しがたって、アクチュエータ５０６の作動が中止された場合、スプリング５０４の付勢力によって振分板５０２が回動され、第１ストッパ５０８によって係止された待機状態になる。
アクチュエータ５０６は、制御装置１７４によって選択的に作動される。
【００９５】
（出金ベルト）
次に出金ベルト３９６が説明される。
出金ベルト３９６は、共通シュート３９２から落下した硬貨Ｃを左硬貨出金口１２２Ｌ又は右硬貨出金口１２２Ｒへ選択的に搬送する機能を有する。
出金ベルト３９６は左硬貨出金口１２２Ｌ及び右硬貨出金口１２２Ｒの近傍に配置された左ローラ５１８Ｌと右ローラ５１８Ｒとの間に張設された平ベルトである。
出金ベルト３９６の上側ベルト３９６Ｕの下側中間にガイドローラ５２０を配置し、上側ベルト３９６Ｕが中央において最も高くなるようにしている。
換言すれば、上側ベルト３９６Ｕは、その頂部が回動軸５１４の真下に位置するよう山形に設けられる。
【００９６】
上側ベルト３９６Ｕの直下には板金製板状の左ベルトガイド５２２Ｌ、右ベルトガイド５２２Ｒがそれぞれ配置され、上側ベルト３９６Ｕの撓みを防止している。上側ベルト３９６Ｕの撓みによって、硬貨Ｃがバウンドして出金が迅速に行われないことを防止するためである。
右ローラ５１８Ｒに正逆転モータ５２４が駆動連結され、制御装置１７４によって選択的に正転、逆転又は停止される。
正逆転モータ５２４が正転された場合、例えば上側ベルト３９６Ｕは左硬貨出金口１２２Ｌへ向かって進行し、逆転された場合右硬貨出金口１２２Ｒへ向かって進行するよう設定される。
【００９７】
さらに、アクチュエータ５０６が作動されない場合、正逆転モータ５２４は正転される。
換言すれば、共通シュート３９２から落下した硬貨Ｃが振分板５０２上を左硬貨出金口１２２Ｌに向かって滑り落ちた場合、出金ベルト３９６の上側ベルト３９６Ｕは左硬貨出金口１２２Ｌ側へ進行する。
アクチュエータ５０６が作動された場合、振分板５０２は右硬貨出金口１２２Ｒ側へ傾斜し、共通シュート３９２から落下した硬貨Ｃは、右硬貨出金口１２２Ｒ側へ滑り落ち、さらに上側ベルト３９６Ｕは右硬貨出金口１２２Ｒ側へ進行する。
振分装置３９４及び出金ベルト３９６は、出金装置ボックス４１４内に内臓される。
【００９８】
次に左硬貨出金口１２２Ｌが図５を参照して説明される。
左硬貨出金口１２２Ｌは、左リジェクト通路１４４Ｌ又は出金ベルト３９６によって送り出された硬貨Ｃを受入れて、保留する機能を有する。
左硬貨出金口１２２Ｌは、例えば、左側硬貨釣銭機１２８Ｌの筐体の垂立前面が解放された洞穴形に形成され、顧客が当該開口から手先を左硬貨出金口１２２Ｌに挿入して取り出し易いように配置されている。
右硬貨出金口１２２Ｒも左硬貨出金口１２２Ｌと同様に構成されている。
【００９９】
（制御装置）
次に制御装置１７４を説明する。
制御装置１７４は、硬貨処理装置１２０のための制御装置であって、自動精算機１０４の上位制御装置（図示せず）からの制御信号、左硬貨センサ１６０Ｌからの左硬貨センサ１６０Ｌからの検知信号ＣＳＬ、右硬貨センサ１６０Ｒからの検知信号ＣＳＲを受け、左逆転ローラ駆動モータ１８４Ｌ、右逆転ローラ駆動モータ１８４Ｒ、左揚送駆動モータ１６６Ｌ、右揚送駆動モータ１６６Ｒ、硬貨ホッパ４１０−１〜４１０−５００の駆動モータ、アクチュエータ５０６及び正逆転モータ５２４等の回転・停止を制御することによって前記のように各機器に所定の機能を発揮させる機能有し、例えばマイクロプロセッサによって構成される。
【０１００】
（硬貨補充装置）
次に、図３、図４、図６、図２４〜図２６を参照して硬貨補充装置６０１を説明する。
硬貨補充装置６０１は、硬貨保留装置３１２に硬貨Ｃを補充するためのもので、大まかには硬貨補充筐体６０２、硬貨補充部６０４、補充硬貨案内通路６０６、左右の補充硬貨搬送ベルト装置６０８Ｌ、６０８Ｒ、及び左右の補充硬貨落下シュート６１０Ｌ、６１０Ｒを有している。
【０１０１】
硬貨補充筐体６０２は、所定間隔で互いに平行に配置された２つの側板６２２、６２４と、階段状に形成された帯状の上板６２６と、略Ｖ字状の底部６２９を有する底板６２８とを含んで構成される。
硬貨補充筐体６０２は、硬貨筐体１２３の左側硬貨釣銭機１２８Ｌ側の壁面に形成された開口６０３に対応する略矩形の開口６３０を有している。開口６３０の内寸法は、開口６０３の内寸法に対してやや小さくなるよう設定されている。
底板６２８の底部６２９には、後述する補充硬貨搬送ベルト装置６０８Ｌ、６０８Ｒの搬送ベルト６５６Ｌ、６５６Ｒをそれぞれ露出する開口６３２Ｌ、６３２Ｒが形成されている。
【０１０２】
硬貨補充部６０４は、上面の全体が開口６３３を形成する箱型の外形状を有し、硬貨補充筐体６０２の開口６３０内において、図２４の矢印ＡＲの方向にスライド可能に収納されている。硬貨補充部６０４が硬貨補充筐体６０２の開口６３０から引き出された状態で、開口６３３は補充硬貨を投入するための硬貨補充口６０５として機能する。
硬貨補充部６０４の下面には開口６３６が形成されており、硬貨補充部６０４の正面側には開口６３３から開口６３６へ向かう傾斜面６３４が設けられている。
硬貨補充部６０４内には、硬貨補充筐体６０２の側板６２２、６２４に対してほぼ平行に配置され、かつ、側板６２２、６２４の間隔をほぼ等分割する仕切り板６３５が設けられている。換言すれば、この仕切り板６３５により硬貨補充部６０４の開口６３３および硬貨補充部６０４の内部空間がほぼ等分割されている。仕切り板６３５の上端には逆台形状の外形状を有するガイド片６３７が一体で形成されており、ガイド片６３７が硬貨補充筐体６０２の上板６２６に形成されたスリット状のガイド孔６３７を貫通して硬貨補充筐体６０２の外部に突出している。
ガイド孔６２７はガイド片６３７の厚さよりも僅かに大きい幅を有しており、硬貨補充部６０４をスライドさせる際には、ガイド片６３７がガイド孔６２７に案内されて、硬貨補充部６０４が矢印ＡＲの方向に円滑に移動できるようになっている。
【０１０３】
補充硬貨案内通路６０６は、硬貨補充筐体６０２の側板６２２、６２４及び底板６２８によって構成され、硬貨補充部６０４から左右の補充硬貨搬送ベルト装置６０８Ｌ、６０８Ｒの搬送ベルト６５６Ｌ、６５６Ｒに向けて斜め下方に延在している。補充硬貨案内通路６０６内には、側板６２２、６２４に対してほぼ平行に配置され、かつ、側板６２２、６２４の間隔をほぼ等分割する仕切り板６４４が設けられている。この仕切り板６４４が補充硬貨案内通路６０６をその延在方向に沿ってほぼ等分割することにより、左右の補充硬貨搬送ベルト装置６０８Ｌ、６０８Ｒのそれぞれに対応する左右の硬貨供給通路６４２Ｌ、６４２Ｒが形成されている。
硬貨補充部６０４の全体が硬貨補充筐体６０２内に収納された状態では、硬貨補充部６０４の内部と補充硬貨案内通路６０６とが連通する。換言すれば、硬貨補充部６０４の内部および補充硬貨案内通路６０６が、硬貨補充口６０５から底板６２８の開口６３２Ｌ、６３２Ｒへ向けて硬貨Ｃを案内する硬貨補充通路６０７として機能する。この硬貨補充通路６０７に案内された硬貨Ｃは、底板６２８の開口６３２Ｌ、６３２Ｒから搬送ベルト６５６Ｌ、６５６Ｒへ向けて落下する。
【０１０４】
左補充硬貨搬送ベルト装置６０８Ｌは、第１プーリローラ６５２Ｌと、第２プーリローラ６５４Ｌと、第１および第２プーリローラ６５２Ｌ、６５４Ｌの間に張設された平ベルトからなる搬送ベルト６５６Ｌと、第１プーリローラ６５２Ｌに駆動力を伝達する駆動ベルト６５８Ｌと、駆動ベルト６５８Ｌを回転駆動する電気モータ６６０Ｌとを含んで構成される。搬送ベルト６５６Ｌは、硬貨補充筐体６０２の底板６２８の底部６２９から左斜め上方に向かって延在している。
搬送ベルト６５６Ｌは、電気モータ６６０Ｌにより駆動ベルト６５８Ｌを介して駆動され、第２プーリローラ６５４Ｌから第１プーリローラ６５２Ｌへ向けて硬貨Ｃを搬送する。搬送された硬貨Ｃは搬送ベルト６５６Ｌの第１プーリローラ６５２Ｌ側の端部から放出される。
右補充硬貨搬送ベルト装置６０８Ｒは、第１プーリローラ６５２Ｒと、第２プーリローラ６５４Ｒと、第１および第２プーリローラ６５２Ｒ、６５４Ｒの間に張設された平ベルトからなる搬送ベルト６５６Ｒと、第１プーリローラ６５２Ｒに駆動力を伝達する駆動ベルト６５８Ｒと、駆動ベルト６５８Ｒを回転駆動する電気モータ６６０Ｒとを含んで構成される。搬送ベルト６５６Ｒは、硬貨補充筐体６０２の底板６２８の底部６２９から右斜め上方に向かって延在している。
搬送ベルト６５６Ｒは、電気モータ６６０Ｒにより駆動ベルト６５８Ｒを介して駆動され、第２プーリローラ６５４Ｒから第１プーリローラ６５２Ｒへ向けて硬貨Ｃを搬送する。搬送された硬貨Ｃは搬送ベルト６５６Ｒの第１プーリローラ６５２Ｒ側の端部から放出される。
このように、左右の補充硬貨搬送ベルト装置６０８Ｌ、６０８Ｒは、硬貨補充筐体６０２の底部６２９から左方向または右方向に向けて硬貨Ｃをそれぞれ搬送するものであり、換言すれば、硬貨補充筐体６０２の底部６２９に案内された硬貨Ｃを互いに異なる方向に向けて搬送する。
【０１０５】
左補充硬貨落下シュート６１０Ｌは左補充硬貨搬送ベルト装置６０８Ｌの第１プーリローラ６５２Ｌ側の端部に近接して設けられ、右補充硬貨落下シュート６１０Ｒは左補充硬貨搬送ベルト装置６０８Ｒの第１プーリローラ６５２Ｒ側の端部に近接して設けられる。左右の補充硬貨搬送ベルト装置６０８Ｌ、６０８Ｒから放出された硬貨Ｃは、対応する左右の補充硬貨落下シュート６１０Ｌ、６１０Ｒを介して、左右の揚送装置１３８Ｌ、１３８Ｒへ供給される。
【０１０６】
（補充硬貨リジェクト移送装置）
次に、図６、図２７及び図２８を参照して補充硬貨リジェクト移送装置７００を説明する。
補充硬貨リジェクト移送装置７００は、硬貨補充装置６０１を介して供給された補充硬貨Ｃが右硬貨選別装置１４２Ｒにおいて偽貨として判別された場合に、返却硬貨ＲＣとして左硬貨出金口１２２Ｌに返却するためのものである。補充硬貨リジェクト移送装置７００は、大まかには切替ゲート７０２及びリジェクト硬貨搬送ベルト装置７０４を有している。
【０１０７】
切替ゲート７０２は、右リジェクト通路１４４Ｒ上に設けられ、右リジェクト通路１４４を通過する返却硬貨ＲＣの送出先をリジェクト硬貨搬送ベルト装置７０４または右返却口１２２Ｒに切り替える機能を有している。
リジェクト硬貨搬送ベルト装置７０４は、右リジェクト通路１４４と左リジェクト通路１４４Ｌとの間に配置され、切替ゲート７０２を介して供給された返却硬貨ＲＣを左リジェクト通路１４４Ｌへ向けて搬送する。
硬貨Ｃを補充する際には、制御装置１７４が切替ゲート７０２をリジェクト硬貨搬送ベルト装置７０４側に切り替える。そのため、右硬貨選別装置１４２Ｒの右返却口１９８Ｒから落下する返却硬貨ＲＣは、左硬貨出金口１２２Ｒへ返却される。
【０１０８】
（対面式硬貨処理装置の作用）
次に本実施例の作用を説明する。
まず、第１壁面１１２Ａ側の左側硬貨釣銭機１２８Ｌを使用するケースを説明する。
セルフ式ガソリンスタンド１０２に来場した顧客は、所定位置に車を停止させた後、精算機１０４の左側硬貨釣銭機１２８Ｌ側の左紙幣投入口１１４Ｌ又は左硬貨投入口１１８Ｌに紙幣又は硬貨Ｃを投入する。
その後、顧客は給油量を決定し、例えば「満タン」を指定し、給油を開始する。
満タンになると、給油量に応じた対価が計算され、投入額との差額が、釣銭として左紙幣返却口１１６Ｌ又は左硬貨出金口１２２Ｌに払い出される。
【０１０９】
まず、左硬貨投入口１１８Ｌに硬貨Ｃが投入された場合を説明する。
左硬貨投入口１１８Ｌに硬貨Ｃが投入された場合、左硬貨センサ１６０Ｌが硬貨Ｃを検知し、検知信号ＣＳＬを制御装置１７４へ出力する。
制御装置１７４は、逆転ローラ駆動モータ１８４Ｌ及び左揚送電動モータ１６６Ｌに対し駆動信号を出力する。
これにより、左逆転ローラ駆動モータ１８４Ｌ及び左揚送電動モータ１６６Ｌは所定方向に所定の速度で回転を開始する。
【０１１０】
硬貨Ｃが連続して転動してきた場合であっても、左逆転ローラ１８２Ｌの回転によって一枚の硬貨Ｃが通過した後、二枚目の硬貨Ｃは左大径部１８８Ｌによって左硬貨投入口１１８Ｌ側へ押し戻され、次に左小径部１９２Ｌが左投入通路１８０Ｌに相対したときに左螺旋装置１５４Ｌ側へ向けて通過する。
したがって、硬貨Ｃが連続して転動してきた場合であっても、時間的に所定の間隔を空けられる。
よって、硬貨Ｃは左螺旋突条１７２Ｌの間に一枚ずつ保持されて順次揚送される。
【０１１１】
左螺旋突条１７２Ｌによって揚送された硬貨Ｃが左投入シュート１５８Ｌの入口に相対した場合、左螺旋突条１７２Ｌの傾斜によって左投入シュート１５８Ｌへ転動し、その先端から左受入口１５２Ｌへ落下する。
【０１１２】
左受入口１５２Ｌへ落下した硬貨Ｃは、左転動通路１９０Ｌを転動する過程において、左物理センサ１９６Ｌによって物理的性質が検知され、その検知結果に基づいて左硬貨選別装置１４２Ｌは投入された硬貨Ｃの真偽及び金種を判別する。
【０１１３】
投入硬貨Ｃが偽貨と判別された場合、左第１振分装置２３６Ｌの左第１振分体２４０Ｌ及び左第２振分体２４２Ｌは左第１静止位置ＬＳＰ１及び左第２静止位置ＬＳＰ２に静止した状態であるので、左第２振分体２４２Ｌによって、左返却通路３３０Ｌに案内されて左返却口１９８Ｌから落下し、左返却通路３３０Ｌ及び左リジェクト通路１４４Ｌを自然落下して左硬貨出金口１２２Ｌへ戻される。
正貨として判別された投入硬貨Ｃは、判別された金種に応じて左１円口２０２Ｌ、左５円口２０４Ｌ、左１０円口２０６Ｌ、左５０円口２０８Ｌ、左１００円口２１２Ｌ又は左５０円口２０８Ｌに案内され、金種別の左硬貨通路装置１４６Ｌに案内されて対応する金種別の硬貨ホッパ４１０−１、４１０−５、４１０−１０、４１０−５０、４１０−１００又は４１０−５００にバラ積み状態で保留される。
金種別の硬貨ホッパが満杯の場合、左オーバーフロー口２１６Ｌに案内され、左オーバーフロー通路３２６Ｌを落下してオーバーフロー金庫４２４に保留される。
【０１１４】
左硬貨投入口１１８Ｌと同時に右硬貨投入口１１８Ｒに硬貨Ｃが投入された場合、前述と同様に右揚送装置１３８Ｒによって揚送され、右硬貨選別装置１４２Ｒによって真偽及び金種が判別され、硬貨保留装置３１２に保留され、又は右返却シュート１４４Ｒを介して右硬貨出金口１２２Ｒへ戻される。
換言すれば、左右の硬貨投入口１１８Ｌ及び１１８Ｒに同時に硬貨Ｃを投入することができる。
【０１１５】
次に硬貨の払い出し、換言すれば、つり銭払い出しについて説明する。
まず、払出方向の指令が制御装置１７４から出力される。
すなわち、出金方向が左硬貨出金口１２２Ｌである場合、アクチュエータ５０６は作動されず、振分板５０２は左硬貨出金口１２２Ｌ側に前下がり状態を維持する。
正逆転モータ５２４が正転され、上側ベルト３９６Ｕは左硬貨出金口１２２Ｌへ向かって進行する。
【０１１６】
次いで、制御装置１７４から該当する金種の硬貨ホッパ４１０−１〜４１０−５００へ払出数が指令される。
釣銭が６６６円である場合、各硬貨ホッパ４１０−１〜４１０−５００へ一枚ずつの払出が指令される。
これにより、各硬貨ホッパ４１０−１〜４１０−５００から回転ディスク４０６の回転によって一枚ずつ払い出す。
払い出された硬貨Ｃは、各硬貨ホッパのカウントセンサ４０８によって検知され、各硬貨ホッパ４１０−１〜４１０−５００はこの検知信号が払い出し指令数になった場合、停止される。
各硬貨ホッパ４１０−１〜４１０−５００から払い出された硬貨Ｃは共通シュート３９２によって案内されて落下口４５６から振分板５０２上に落下し、その傾斜によって左硬貨出金口１２２Ｌへ向かって滑落し、出金ベルト３９６上に落下する。
【０１１７】
出金ベルト３９６上に落下した硬貨Ｃは上側ベルト３９６Ｕが左硬貨出金口１２２Ｌへ向かって進行しているため、同方向へ運ばれ、左硬貨出金口１２２Ｌ内に落下して払出が終了する。
【０１１８】
右硬貨出金口１２２Ｒへ出金する場合、硬貨ホッパ４１０−１〜４１０−５００からの払出に先立って、アクチュエータ５０６が作動され、振分板５０２が図５及び図２３において時計方向に回動され、右硬貨出金口１２２Ｒへ傾斜した鎖線示位置に静止される。
また、正逆転モータ５２４が逆転され、上側ベルト３９６Ｕが右硬貨出金口１２２Ｒへ向かって進行する。
【０１１９】
この後、前述同様に各硬貨ホッパ４１０−１〜４１０−５００から回転ディスク４０６の回転によって一枚ずつ硬貨Ｃを払い出す。
払い出された硬貨Ｃは、各硬貨ホッパのカウントセンサ４０８によって検知され、各硬貨ホッパ４１０−１〜４１０−５００はこの検知信号に基づいて停止される。
各硬貨ホッパ４１０−１〜４１０−５００から払い出された硬貨Ｃは共通シュート３９２によって案内されて落下口４５６から振分板５０２上に落下し、その傾斜によって右硬貨出金口１２２Ｒへ向かって滑落し、出金ベルト３９６上に落下する。
【０１２０】
出金ベルト３９６上に落下した硬貨Ｃは上側ベルト３９６Ｕが右硬貨出金口１２２Ｒへ向かって進行しているため、同方向へ運ばれ、右硬貨出金口１２２Ｒ内に落下して払出が終了する。
【０１２１】
次に左側硬貨釣銭機１２８Ｌ及び右側硬貨釣銭機１２８Ｒが同時に釣銭払出処理を行う場合を説明する。
釣銭の払い出しは、制御装置１７４から釣銭払出指令が出力された順に行う。例えば、左側硬貨釣銭機１２８Ｌに先に釣銭払い出しが指令出力された場合、前述のようにアクチュエータ５０６は作動されずに正逆転モータ５２４が正転されて左硬貨出金口１２２Ｌ側へ出金処理される。
左硬貨出金口１２２Ｌ側へ出金処理後直ぐに右側硬貨釣銭機１２８Ｒにつり銭払出指令が出力され、前述のようにアクチュエータ５０６が作動され、かつ、正逆転モータ５２４が逆転されて右硬貨出金口１２２Ｒ側へ出金処理される。
【０１２２】
左側硬貨釣銭機１２８Ｌと右側硬貨釣銭機１２８Ｒとに同時につり銭払出指令が同時に出力されるタイミングの場合、制御装置１７４は、予め優先順位を設定された左側硬貨釣銭機１２８Ｌ又は右側硬貨釣銭機１２８Ｒに対し先につり銭払出指令を出力し、つり銭を払い出す。
【０１２３】
（硬貨補充時の作用）
次に、係員が硬貨Ｃを補充する場合について説明する。硬貨Ｃの補充は、第１壁面１１２Ａ側から行う。
【０１２４】
まず、左側硬貨釣銭機１２８Ｌ側にある硬貨補充部６０４を手前に引いて、硬貨補充筐体６０２の開口６３０から硬貨補充部６０４を引き出す。この時、硬貨補充部６０４のガイド片６３７が硬貨補充筐体６０２のガイド孔６２７に案内され、硬貨補充部６０４が円滑にスライドする。この操作により、硬貨補充部６０４の開口６３３が硬貨補充筐体６０２の外部に露出し、硬貨補充口６０５として機能する。
【０１２５】
この状態で、係員が補充用の硬貨Ｃをバラ状態で硬貨補充口６０５へ投入すると、硬貨Ｃが硬貨補充部６０４の内部に設けられた仕切り板６３５により２分配され、硬貨Ｃの一部は補充硬貨案内通路６０６を通って下方に案内され、硬貨Ｃの残部は硬貨補充部６０４の内部において硬貨補充筐体６０２の底板６２８上に載置される。補充硬貨案内通路６０４内において、硬貨Ｃは仕切り板６４４により分配された状態を維持しながら左右の硬貨供給通路６４２Ｌ、６４２Ｒのそれぞれを通って下方に案内される。
【０１２６】
次に、係員が硬貨補充部６０４を押し込み、硬貨補充部６０４を硬貨補充筐体６０２の内部に収納すると、硬貨補充筐体６０２の底板６２８上に載置された硬貨Ｃの残部は硬貨補充部６０４の傾斜面６３４に押動され、補充硬貨案内通路６０６を通って下方に案内される。この場合にも、補充硬貨案内通路６０４内において、硬貨Ｃは仕切り板６４４により分配された状態を維持しながら左右の硬貨供給通路６４２Ｌ、６４２Ｒのそれぞれを通って下方に案内される。
【０１２７】
こうして補充硬貨案内通路６０６に案内された硬貨Ｃは、硬貨補充筐体６０２の底部６２９に達し、底部６２９に設けられた開口６３２Ｌ、６３２Ｒを通って搬送ベルト６５６Ｌ、６５６Ｒ上のそれぞれに落下する。換言すれば、２分配された補充用の硬貨Ｃが搬送ベルト６５６Ｌ、６５６Ｒ上のそれぞれに載置される。
【０１２８】
搬送ベルト６５６Ｌ上に載置された硬貨Ｃは、搬送ベルト６５６Ｌにより左落下シュート６１０Ｌへ向けて搬送され、左落下シュート６１０Ｌを介して左揚送装置１３８Ｌに供給される。搬送ベルト６５６Ｒ上に載置された硬貨Ｃは、搬送ベルト６５６Ｒにより右落下シュート６１０Ｒへ向けて搬送され、右落下シュート６１０Ｒを介して右揚送装置１３８Ｒに供給される。
【０１２９】
左右の揚送装置１３８Ｌ、１３８Ｒに供給された補充用の硬貨Ｃは、左右の硬貨投入口１１８Ｌ、１１８Ｒに投入された場合と同様にして、左右の硬貨選別装置１４２Ｌ、１４２Ｒに供給される。すなわち、左揚送装置１３８Ｌに供給された補充用の硬貨Ｃは、左一枚分離装置１５６Ｌ、左螺旋装置１５４Ｌ及び左投入シュート１５８Ｌを介して左硬貨選別装置１４２Ｌの左受入口１５２Ｌに投入される。右揚送装置１３８Ｒに供給された補充用の硬貨Ｃは、右一枚分離装置１５６Ｒ、右螺旋装置１５４Ｒ及び右投入シュート１５８Ｒを介して右硬貨選別装置１４２Ｒの右受入口１５２Ｒに投入される。
【０１３０】
上記の通り、硬貨補充口６０５から投入された補充用の硬貨Ｃは、硬貨補充通路６０７、左右の補充硬貨搬送ベルト装置６０８Ｌ、６０８Ｒ及び左右の揚送装置１３８Ｌ、１３８Ｒを介して、左右の硬貨選別装置１４２Ｌ、１４２Ｒに供給される。換言すれば、硬貨補充通路６０７、左右の補充硬貨搬送ベルト装置６０８Ｌ、６０８Ｒ及び左右の揚送装置１３８Ｌ、１３８Ｒは、補充用の硬貨Ｃを左右の硬貨選別装置１４２Ｌ、１４２Ｒに供給する補充硬貨供給手段６００として機能する。
【０１３１】
こうして、左右の硬貨選別装置１４２Ｌ、１４２Ｒに供給された補充用の硬貨Ｃは、左右の硬貨投入口１１８Ｌ、１１８Ｒに投入された場合と同様にして、硬貨Ｃの真偽及び金種が判別され、正貨と判別された硬貨Ｃは金種別の硬貨保留装置３１２に供給される。偽貨と判別された硬貨Ｃは、返却硬貨ＲＣとして左右のリジェクト通路１４４Ｌ、１４４Ｒへ排出される。
【０１３２】
左リジェクト通路１４４Ｌに排出された返却硬貨ＲＣは、左リジェクト通路１４４Ｌを通って左硬貨出金口１２２Ｌに返却される。他方、前述したように硬貨Ｃの補充時には制御装置１７４により切替ゲート７０２がリジェクト硬貨搬送ベルト装置７０４側に切り替えられているので、右リジェクト通路１４４Ｒに排出された返却硬貨ＲＣは切替ゲート７０２を介してリジェクト硬貨搬送ベルト装置７０４に供給される。そのため、返却硬貨ＲＣは、リジェクト硬貨搬送ベルト装置７０４により左リジェクト通路１４４Ｌに搬送され、左リジェクト通路１４４Ｌを介して左硬貨出金口１２２Ｌに返却される。
【０１３３】
なお、本実施例では、左右の補充硬貨搬送ベルト装置６０８Ｌ、６０８Ｒを用いて補充硬貨供給手段６００を構成しているが、ベルト式以外の硬貨搬送装置、例えば、チェーン式やローラ式の硬貨搬送装置を用いることも可能である。さらに、硬貨補充口６０５に対して左右の硬貨選別装置１４２Ｌ、１４２Ｒの受入口１５２Ｌ、１５２Ｌが下方に配置される場合には、重力を利用したシュート通路などの動力を必要としない搬送手段を用いることもできる。
また、補充硬貨リジェクト移送装置７００においても、補充硬貨供給手段６００と同様に、リジェクト硬貨搬送ベルト装置７０４に替えてチェーン式やローラ式などのベルト式以外の硬貨搬送装置を用いることも可能であり、動力を必要としないシュート通路などの搬送手段を用いることもできる。
【産業上の利用可能性】
【０１３４】
本発明は、１つの筐体の対向する２面のそれぞれに接客部を設けた貨幣取扱装置に好適に利用でき、特に、ガソリンスタンドの他、駐車場の精算機、有料道路の精算機等に使用することができる。
【符号の説明】
【０１３５】
Ｃ、１Ｃ、５Ｃ、１０Ｃ、５０Ｃ、１００Ｃ、５００Ｃ  硬貨
ＲＣ  返却硬貨
１１２Ａ、１１２Ｂ  外面
１１８Ｌ、１１８Ｒ  硬貨投入口
１２２Ｌ、１２２Ｒ  硬貨出金口
１４２Ｌ、１４２Ｒ  硬貨選別装置
３１２  硬貨保留装置
６００  補充硬貨供給手段
６０１  硬貨補充装置
６０２  硬貨補充筐体
６０４  硬貨補充部
６０５  硬貨補充口
６０６  補充硬貨案内通路
６０７  硬貨補充通路（硬貨通路）
６０８Ｌ、６０８Ｒ  補充硬貨搬送ベルト装置（硬貨搬送手段）
６３５、６４４  仕切り板（分配手段）
７００  補充硬貨リジェクト移送装置（硬貨移送手段）
７０２  切替ゲート
７０４  リジェクト硬貨搬送ベルト装置
【図１】
2012108612.tif 000003
【図２】
2012108612.tif 000004
【図３】
2012108612.tif 000005
【図４】
2012108612.tif 000006
【図５】
2012108612.tif 000007
【図６】
2012108612.tif 000008
【図７】
2012108612.tif 000009
【図８】
2012108612.tif 000010
【図９】
2012108612.tif 000011
【図１０】
2012108612.tif 000012
【図１１】
2012108612.tif 000013
【図１２】
2012108612.tif 000014
【図１３】
2012108612.tif 000015
【図１４】
2012108612.tif 000016
【図１５】
2012108612.tif 000017
【図１６】
2012108612.tif 000018
【図１７】
2012108612.tif 000019
【図１８】
2012108612.tif 000020
【図１９】
2012108612.tif 000021
【図２０】
2012108612.tif 000022
【図２１】
2012108612.tif 000023
【図２２】
2012108612.tif 000024
【図２３】
2012108612.tif 000025
【図２４】
2012108612.tif 000026
【図２５】
2012108612.tif 000027
【図２６】
2012108612.tif 000028
【図２７】
2012108612.tif 000029
【図２８】
2012108612.tif 000030